(57)【要約】  本発明は、耐光性及び耐熱性に優れるメロシアニン化合物を提供するものであり、具体的には、一般式（Ｉ）で表されるメロシアニン化合物を提供するものである。該メロシアニン化合物の中でも、一般式（ＩＩ）で表される化合物、特に一般式（ＩＩＩ）又は（ＩＶ）で表される化合物は合成が容易で耐熱性が高いので好ましく、一般式（Ｖ）、（ＶＩ）、（ＶＩＩ）又は（ＶＩＩＩ）で表される化合物はより一層好ましい。一般式（Ｉ）〜（ＶＩＩＩ）の具体的な内容は本明細書に記載の通りである。【特許請求の範囲】
【請求項１】
下記一般式（Ｉ）で表されるメロシアニン化合物。
【化１】
2016158639.tif 000063
（式中、Ｒ1、Ｒ2、Ｒ3、Ｒ4、Ｒ6、Ｒ7及びＲ8は、それぞれ独立に、水素原子、水酸基、ニトロ基、シアノ基、ハロゲン原子、カルボキシル基、スルホン酸基、炭素原子数１〜２０のアルキル基、炭炭素原子数６〜３０のアリール基、炭素原子数７〜３０のアリールアルキル基、炭素原子数８〜３０のアリールアルケニル基、炭素原子数２〜３０の複素環含有基又はメタロセニル基を表し、
Ｒ5は、水素原子、炭素原子数１〜２０のアルキル基、炭素原子数６〜３０のアリール基、炭素原子数７〜３０のアリールアルキル基、炭素原子数８〜３０のアリールアルケニル基、又は炭素原子数２〜３０の複素環含有基を表し、
Ｒ9は、水素原子、炭素原子数１〜２０のアルキル基又はシアノ基を表し、
Ｘは、＞ＣＲ10Ｒ11、酸素原子又は硫黄原子を表し、
Ｒ10及びＲ11は、それぞれ独立に、炭素原子数１〜２０のアルキル基、炭素原子数６〜３０のアリール基、炭素原子数７〜３０のアリールアルキル基、炭素原子数８〜３０のアリールアルケニル基、炭素原子数２〜３０の複素環含有基又はメタロセニル基を表し、
Ｒ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基又はＲ1、Ｒ2、Ｒ3、Ｒ4、Ｒ5、Ｒ6、Ｒ7、Ｒ8、Ｒ10及びＲ11で表される炭素原子数７〜３０のアリールアルキル基又は炭素原子数８〜３０のアリールアルケニル基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＮＨ−、−ＣＯＮＨ−、−ＮＨＣＯ−、−ＳＯ2−ＮＨ−、−ＮＨ−ＳＯ2−、−Ｎ＝ＣＨ−又は−ＣＨ＝ＣＨ―により、酸素原子が隣り合わない条件で置き換わっている場合もあり、
Ｒ1、Ｒ2、Ｒ3、Ｒ4、Ｒ5、Ｒ6、Ｒ7、Ｒ8、Ｒ9、Ｒ10及びＲ11で表される基のアルキル部分は、分岐側鎖を有している場合もあり、環状アルキルである場合もあり、置換基を有している場合もあり、
Ｒ1とＲ2、Ｒ2とＲ3、Ｒ3とＲ4、Ｒ4とＲ5、Ｒ1とＲ10、Ｒ6とＲ8、Ｒ8とＲ9又はＲ10とＲ11は、それぞれ一緒になって環を形成している場合もあり、形成した環は置換基を有している場合もあり、
Ｇは、酸素原子、硫黄原子又は下記＜群１＞より選択される基を表し、
Ａは、ｍ＝１のとき、結合手ではなく、ｍ≧２のとき、単結合、窒素原子、−ＮＲ12−、酸素原子、硫黄原子、−ＳＯ2−、−ＳＯ−、リン原子、−ＰＲ13−、Ｅm+（Ｊ-）m、（Ｍ+）mＬm-又は下記（ｉ）〜（ｖ）の何れかの条件を満たす有機基を表し、Ｅはｍ価の陽イオンを表し、Ｊは一価の陰イオンを表し、Ｍは一価の陽イオンを表し、Ｌはｍ価の陰イオンを表し、
Ｒ12及びＲ13は、それぞれ独立に、水素原子、炭素原子数１〜８のアルキル基、炭素原子数６〜３０のアリール基炭素原子数７〜３０のアリールアルキル基又は炭素原子数８〜３０のアリールアルケニル基を表し、
Ｒ12及びＲ13で表されるアルキル基、アリール基、アリールアルキル基又はアリールアルケニル基は、ハロゲン原子、水酸基又はニトロ基で置換されている場合もあり、塩を形成した置換基を有している場合もあり、Ｒ12及びＲ13で表されるアルキル基、アリールアルキル基、又はアリールアルケニル基中のメチレン基は、−ＣＯＯ−、−Ｏ−、−ＯＣＯ−、−ＮＨＣＯ−、−ＮＨ−又は−ＣＯＮＨ−により、酸素原子が隣り合わない条件で置き換わっている場合もあり、
ｍは１〜６であり、ｍ≧２のとき、Ａは、Ｒ1、Ｒ2、Ｒ3、Ｒ4、Ｒ5、Ｒ6、Ｒ7、Ｒ8及びＲ9の何れか１つ以上の置換基と連結し、複数あるＲ1、Ｒ2、Ｒ3、Ｒ4、Ｒ5、Ｒ6、Ｒ7、Ｒ8、Ｒ9、ｎ、Ｘ及びＧは、同一であっても異なっていてもよく、ｎは０又は１である。）
【化２】
2016158639.tif 000064
（式中、Ｒ及びＲ’は、それぞれ独立に、炭素原子数１〜１０のアルキル基
、炭素原子数７〜３０のアリールアルキル基、又は炭素原子数６〜２０８〜３０のアリール基を表し、＊は、＊部分で、隣接する基と結合することを意味する。）
（ｉ）ｍ＝２であり、Ａが下記一般式（１）で表される。
【化３】
2016158639.tif 000065
（式中、Ｘ1は、−ＮＲ14−、二価の炭素原子数１〜３５の脂肪族炭化水素基、二価の炭素原子数３〜３５の脂環式炭化水素基、二価の炭素原子数６〜３５の芳香環含有炭化水素基、二価の炭素原子数２〜３５の複素環含有基又は下記（１−Ａ）〜（１−Ｃ）の何れかで表される基を表し、
Ｚ1及びＺ2は、それぞれ独立に、直接結合、−Ｏ−、−Ｓ−、−ＳＯ2−、−ＳＯ−、−ＮＲ14−、−ＰＲ15−、−ＣＯ−、又はこれらの組み合わせを表し、
Ｒ14及びＲ15は、それぞれ独立に、水素原子、炭素原子数１〜１０のアルキル基、炭素原子数６〜３０のアリール基、炭素原子数７〜３０のアリールアルキル基又は炭素原子数８〜３０のアリールアルケニル基を表し、
Ｒ14及びＲ15で表されるアルキル基、アリール基、アリールアルキル基又はアリールアルケニル基は、ハロゲン原子、水酸基又はニトロ基で置換されている場合もあり、
Ｒ14及びＲ15で表されるアルキル基、アリールアルキル基又はアリールアルケニル基中のメチレン基は、−ＣＯＯ−、−Ｏ−、−ＯＣＯ−、−ＮＨＣＯ−、−ＮＨ−又は−ＣＯＮＨ−により、酸素原子が隣り合わない条件で置き換わっている場合もあり、＊は、＊部分で、隣接する基と結合することを意味する。
但し、上記一般式（１）で表される基は炭素原子数１〜３５の範囲内である。）
【化４】
2016158639.tif 000066
（式中、Ｒ21は、炭素原子数１〜１０のアルキル基若しくはアルコキシ基により置換されている場合があるフェニル基、又は炭素原子数３〜１０のシクロアルキル基を表し、Ｒ22は、炭素原子数１〜１０のアルキル基、炭素原子数１〜１０のアルコキシ基、炭素原子数２〜１０のアルケニル基又はハロゲン原子を表し、
Ｒ21及びＲ22で表されるアルキル基、アルコキシ基又はアルケニル基はハロゲン原子で置換されているか又は無置換であり、
ｄは０〜４の整数であり、＊は、＊部分で、隣接する基と結合することを意味する。）
【化５】
2016158639.tif 000067
（式中の＊は、＊部分で、隣接する基と結合することを意味する。）
【化６】
2016158639.tif 000068
（式中、Ｒ23及びＲ24は、それぞれ独立に、炭素原子数１〜１０のアルキル基、炭素原子数６〜３０のアリール基、炭素原子数６〜３０のアリールオキシ基、炭素原子数６〜３０のアリールチオ基、炭素原子数６〜３０のアリールアルケニル基、炭素原子数７〜３０のアリールアルキル基、炭素原子数８〜３０のアリールアルケニル基、炭素原子数２〜３０の複素環含有基又はハロゲン原子を表し、
Ｒ23及びＲ24で表されるアルキル基、アリール基、アリールオキシ基、アリールチオ基、アリールアルケニル基、アリールアルキル基又は複素環含有基は、ハロゲン原子で置換されているか又は無置換であり、
Ｒ23及びＲ24で表されるアルキル基、アリールアルキル基又はアリールアルケニル基中のメチレン基は、不飽和結合、−Ｏ−又は−Ｓ−により、酸素原子が隣り合わない条件で置き換わっている場合もあり、
Ｒ23は、隣接するＲ23同士で環を形成している場合もあり、
ｅは０〜４の数を表し、ｆは０〜８の数を表し、ｇは０〜４の数を表し、ｈは０〜４の数を表し、ｇとｈの数の合計は２〜４であり、＊は、＊部分で、隣接する基と結合することを意味する。）
（ii）ｍ＝３であり、Ａが下記一般式（２）で表される。
【化７】
2016158639.tif 000069
（式中、Ｘ2は、Ｒ25で置換された炭素原子、三価の炭素原子数１〜３５の脂肪族炭化水素基、三価の炭素原子数３〜３５の脂環式炭化水素基、三価の炭素原子数６〜３５の芳香環含有炭化水素基又は三価の炭素原子数２〜３５の複素環含有基を表し、
Ｒ25は、水素原子、炭素原子数１〜８のアルキル基、炭素原子数６〜３０のアリール基、炭素原子数７〜３０のアリールアルキル基又は炭素原子数８〜３０のアリールアルケニル基を表し、
Ｘ2で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ3は、それぞれ独立に、上記一般式（１）におけるＺ1及びＺ2で表される基と同じであり、＊は、＊部分で、隣接する基と結合することを意味する。
但し、上記一般式（２）で表わされる基は炭素原子数１〜３５の範囲内である。）
（iii）ｍ＝４であり、Ａが下記一般式（３）で表される。
【化８】
2016158639.tif 000070
（式中、Ｘ3は、炭素原子、四価の炭素原子数１〜３５の脂肪族炭化水素基、四価の炭素原子数３〜３５の脂環式炭化水素基、四価の炭素原子数６〜３５の芳香環含有炭化水素基又は四価の炭素原子数２〜３５の複素環含有基を表し、
Ｘ3で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ4は、それぞれ独立に、上記一般式（１）におけるＺ1及びＺ2で表される基と同じであり、＊は、＊部分で、隣接する基と結合することを意味する。
但し、上記一般式（３）で表される基は炭素原子数１〜３５の範囲内である。）
（iv）ｍ＝５であり、Ａが下記一般式（４）で表される。
【化９】
2016158639.tif 000071
（式中、Ｘ4は、五価の炭素原子数２〜３５の脂肪族炭化水素基、五価の炭素原子数３〜３５の脂環式炭化水素基、五価の炭素原子数６〜３５の芳香環含有炭化水素基又は五価の炭素原子数２〜３５の複素環含有基を表し、
Ｘ4で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ5は、それぞれ独立に、上記一般式（１）におけるＺ1及びＺ2で表される基と同じであり、＊は、＊部分で、隣接する基と結合することを意味する。
但し上記一般式（４）で表される基は炭素原子数２〜３５の範囲内である。）
（ｖ）ｍ＝６であり、Ａが下記一般式（５）で表される。
【化１０】
2016158639.tif 000072
（式中、Ｘ5は、六価の炭素原子数２〜３５の脂肪族炭化水素基、六価の炭素原子数３〜３５の脂環式炭化水素基、六価の炭素原子数６〜３５の芳香環含有炭化水素基又は六価の炭素原子数２〜３５の複素環含有基を表し、
Ｘ5で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ6は、それぞれ独立に、上記一般式（１）におけるＺ1及びＺ2で表される基と同じであり、＊は、＊部分で、隣接する基と結合することを意味する。
但し上記一般式（５）で表される基は炭素原子数２〜３５の範囲内である。）
【請求項２】
下記一般式（ＩＩ）で表されるメロシアニン化合物である請求項１記載のメロシアニン化合物。
【化１１】
2016158639.tif 000073
（式中、環Ｄは、五員環又は六員環を表す。環Ｄで表される五員環又は六員環は、他の環と縮合されている場合があり、置換されている場合もあり、Ｒ1、Ｒ2、Ｒ3、Ｒ4、Ｒ5、Ｒ6、Ｒ7、Ｘ、Ｇ、Ａ及びｍは、上記一般式（Ｉ）と同じであり、ｍ≧２のとき、複数あるＲ1、Ｒ2、Ｒ3、Ｒ4、Ｒ5、Ｒ6、Ｒ7、Ｘ、Ｄ及びＧは、同一であっても異なっていてもよい。）
【請求項３】
下記一般式（ＩＩＩ）で表されるメロシアニン化合物である請求項１又は２に記載のメロシアニン化合物。
【化１２】
2016158639.tif 000074
（式中、Ｘ11、Ｘ12及びＸ13は、それぞれ独立に、−Ｏ−、−Ｓ−、−Ｃ（＝Ｏ）−、−Ｃ（＝Ｓ）−、−Ｎ（Ｒ31）−、−Ｎ＝又は−Ｃ（Ｒ32）＝を表し、
Ｘ11とＸ12又はＸ12とＸ13の間の結合は、単結合、二重結合又は共役二重結合であり、
Ｒ31は、水素原子、炭素原子数１〜２０のアルキル基、炭素原子数６〜３０のアリール基、炭素原子数７〜３０のアリールアルキル基、炭素原子数８〜３０のアリールアルケニル基、又は炭素原子数２〜３０の複素環含有基を表し、
Ｒ31で表されるアルキル基、アリール基、アリールアルキル基又はアリールアルケニル基は、ハロゲン原子、水酸基、カルボキシル基、スルホン酸基、ニトロ基、スルホンアミド基、又はＮにアルキル基が結合したスルホンアミド基で置換されている場合もあり、該カルボキシル基及びスルホン酸基は塩を形成している場合もあり、
Ｒ31で表されるアルキル基、アリールアルキル基又はアリールアルケニル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−により、酸素原子が隣り合わない条件で置き換わっている場合もあり、
Ｒ32は、炭素原子数１〜２０のアルキル基、炭素原子数６〜３０のアリール基、炭素原子数７〜３０のアリールアルキル基又は炭素原子数８〜３０のアリールアルケニル基を表し、
Ｒ1、Ｒ2、Ｒ3、Ｒ4、Ｒ5、Ｒ6、Ｒ7、Ｘ、Ａ及びｍは、上記一般式（Ｉ）と同じであり、ｍ≧２のとき、複数あるＲ1、Ｒ2、Ｒ3、Ｒ4、Ｒ5、Ｒ6、Ｒ7、Ｘ11、Ｘ12及びＸ13は、同一であっても異なっていてもよい。）
【請求項４】
下記一般式（ＩＶ）で表されるメロシアニン化合物である請求項１又は２に記載のメロシアニン化合物。
【化１３】
2016158639.tif 000075
（式中、Ｘ14、Ｘ15、Ｘ16及びＸ17は、それぞれ独立に、−Ｏ−、−Ｓ−、−Ｃ（＝Ｏ）−、−Ｃ（＝Ｓ）−、−Ｎ（Ｒ35）−、―Ｃ（Ｒ36）（Ｒ37）−、−Ｎ＝又は−Ｃ（Ｒ38）＝を表し、
Ｘ14とＸ15、Ｘ15とＸ16又はＸ16とＸ17の間の結合は、単結合、二重結合又は共役二重結合であり、
Ｒ35は、それぞれ独立に、水素原子、炭素原子数１〜２０のアルキル基、炭素原子数６〜３０のアリール基、炭素原子数７〜３０のアリールアルキル基、炭素原子数８〜３０のアリールアルケニル基又は炭素原子数２〜３０の複素環含有基を表し、
Ｒ35で表されるアルキル基、アリール基、アリールアルキル基又はアリールアルケニル基は、ハロゲン原子、水酸基、カルボキシル基、スルホン酸基又はニトロ基で置換されている場合もあり、該カルボキシル基及びスルホン酸基は塩を形成している場合もあり、
Ｒ35で表されるアルキル基、アリールアルキル基又はアリールアルケニル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−により、酸素原子が隣り合わない条件で置き換わっている場合もあり、
Ｒ36、Ｒ37及びＲ38は、それぞれ独立に、水素原子、炭素原子数１〜２０のアルキル基、炭素原子数６〜３０のアリール基、炭素原子数７〜３０のアリールアルキル基又は炭素原子数８〜３０のアリールアルケニル基を表し、
Ｒ1、Ｒ2、Ｒ3、Ｒ4、Ｒ5、Ｒ6、Ｒ7、Ｘ、Ａ及びｍは、上記一般式（Ｉ）と同じである。）
【請求項５】
下記一般式（Ｖ）で表されるメロシアニン化合物である請求項１〜３の何れか一項に記載のメロシアニン化合物。
【化１４】
2016158639.tif 000076
（式中、Ｒ1、Ｒ2、Ｒ3、Ｒ4、Ｒ6、Ｒ7及びＸは、上記一般式（Ｉ）と同じであり、Ｘ11、Ｘ12及びＸ13は、上記一般式（ＩＩＩ）と同じであり、Ｘ1、Ｚ1及びＺ2は、上記一般式（１）と同じである。）
【請求項６】
下記一般式（ＶＩ）で表されるメロシアニン化合物である請求項１、２又は４の何れか一項に記載のメロシアニン化合物。
【化１５】
2016158639.tif 000077
（式中、Ｒ1、Ｒ2、Ｒ3、Ｒ4、Ｒ6、Ｒ7及びＸは、上記一般式（Ｉ）と同じであり、Ｘ14、Ｘ15、Ｘ16及びＸ17は、上記一般式（ＩＶ）と同じであり、Ｘ1、Ｚ1及びＺ2は、上記一般式（１）と同じである。）
【請求項７】
下記一般式（ＶＩＩ）で表されるメロシアニン化合物である請求項１〜３の何れか一項に記載のメロシアニン化合物。
【化１６】
2016158639.tif 000078
（式中、Ｒ1、Ｒ2、Ｒ3、Ｒ4、Ｒ5、Ｒ6、Ｒ7及びＸは、上記一般式（Ｉ）と同じであり、
Ｘ11は、上記一般式（ＩＩＩ）と同じであり、
Ｒ31は、上記一般式（ＩＩＩ）中のＸ13が−Ｎ（Ｒ31）−で表される場合のＲ31と同じであり、
Ｒ1、Ｒ2、Ｒ3、Ｒ4、Ｒ5及びＲ31の何れか一つ以上は、ニトロ基；水酸基、カルボキシル基、スルホン酸基若しくはハロゲン原子で置換された又は無置換の炭素原子数１〜２０のアルキル基；炭素原子数１〜２０のアルキル基中のメチレン基が−ＳＯ2−ＮＨ−又はーＮＨ−ＳＯ2−で置き換わった基；水酸基、カルボキシル基又はスルホン酸基で置換された炭素原子数６〜３０のアリール基；水酸基、カルボキシル基又はスルホン酸基で置換された炭素原子数７〜３０のアリールアルキル基若しくは炭素原子数８〜３０のアリールアルケニル基；炭素原子数１〜２０のアルキル基、炭素原子数６〜３０のアリール基、炭素原子数８〜３０のアリールアルキル基、炭素原子数７〜３０のアリールアルキル基、又は炭素原子数８〜３０のアリールアルケニル基が塩を形成した置換基を有するものから選択される。）
【請求項８】
下記一般式（ＶＩＩＩ）で表されるメロシアニン化合物である請求項１、２又は４の何れか一項に記載のメロシアニン化合物。
【化１７】
2016158639.tif 000079
（式中、Ｒ1、Ｒ2、Ｒ3、Ｒ4、Ｒ5、Ｒ6、Ｒ7及びＸは、上記一般式（Ｉ）と同じであり、
Ｒ35は、上記一般式（ＩＶ）中のＸ15及びＸ17が−Ｎ（Ｒ35）−で表される場合のＲ35と同じであり、複数あるＲ35は、同じか又は異なり、Ｒ1、Ｒ2、Ｒ3、Ｒ4、Ｒ5及びＲ35の何れか一つ以上は、ニトロ基；水酸基、カルボキシル基、スルホン酸基若しくはハロゲン原子で置換された又は無置換の炭素原子数１〜２０のアルキル基；炭素原子数１〜２０のアルキル基中のメチレン基が−ＳＯ2−ＮＨ−又はーＮＨ−ＳＯ2−で置き換わった基；水酸基、カルボキシル基又はスルホン酸基で置換された炭素原子数６〜３０のアリール基；水酸基、カルボキシル基又はスルホン酸基で置換された炭素原子数７〜３０のアリールアルキル基；水酸基、カルボキシル基又はスルホン酸基で置換された炭素原子数８〜３０のアリールアルケニル基；炭素原子数１〜２０のアルキル基、炭素原子数６〜３０のアリール基、炭素原子数７〜３０のアリールアルキル基、又は炭素原子数８〜３０のアリールアルケニル基が塩を形成した置換基を有するものから選択される。）
【請求項９】
請求項１〜８の何れか一項に記載のメロシアニン化合物を含有する組成物。
【請求項１０】
請求項９記載の組成物を用いた光学フィルム。
【請求項１１】
請求項９記載の組成物を用いた光学フィルタ。
【発明の詳細な説明】
【技術分野】
【０００１】
本発明は、特定の構造を有するメロシアニン化合物に関する。
【背景技術】
【０００２】
メロシアニン化合物は、光吸収剤、増感剤、染料等として、ディスプレイや光学レンズに用いられる光学フィルタ、感光写真材料、染物、塗料、インク、電子写真感光体、トナー、感熱記録紙、転写リボン、光学記録色素、太陽電池、光電変換素子、半導体材料、臨床検査試薬、レーザー治療用色素、染色等に広く用いられている。【０００３】
特許文献１には、メチン色素化合物を含有するハロゲン化銀写真感光材料が開示されており、特許文献２には、メロシアニン化合物及び該化合物を用いた光学フィルタ並びに光学記録材料が開示されており、特許文献３には、メロシアニン化合物を含む光電変換素子が開示されており、特許文献４には、酸メロシアニン色素が開示されている。
【先行技術文献】
【特許文献】
【０００４】
【特許文献１】特開２００３−０５７７７７号公報
【特許文献２】特開２００８−２２２９９１号公報
【特許文献３】ＵＳ２０１３／００８７６８２
【特許文献４】ＵＳ２５２６６３２
【発明の概要】
【発明が解決しようとする課題】
【０００５】
本発明の目的は、耐光性に優れるメロシアニン化合物を提供することにある。
【課題を解決するための手段】
【０００６】
本発明者等は、鋭意検討を重ねた結果、特定の構造を有するメロシアニン化合物が上記目的を達成しうることを知見し、本発明に到達した。
本発明は、上記知見に基づき成されたものであり、下記一般式（Ｉ）で表されるメロシアニン化合物を提供するものである。【０００７】
【化１】
2016158639.tif 000002
（式中、Ｒ1、Ｒ2、Ｒ3、Ｒ4、Ｒ6、Ｒ7及びＲ8は、それぞれ独立に、水素原子、水酸基、ニトロ基、シアノ基、ハロゲン原子、カルボキシル基、スルホン酸基、炭素原子数１〜２０のアルキル基、炭素原子数６〜３０のアリール基、炭素原子数７〜３０のアリールアルキル基、炭素原子数８〜３０のアリールアルケニル基、炭素原子数２〜３０の複素環含有基又はメタロセニル基を表し、
Ｒ5は、水素原子、炭素原子数１〜２０のアルキル基、炭素原子数６〜３０のアリール基、炭素原子数７〜３０のアリールアルキル基、炭素原子数８〜３０のアリールアルケニル基又は炭素原子数２〜３０の複素環含有基を表し、
Ｒ9は、水素原子、炭素原子数１〜２０のアルキル基又はシアノ基を表し、
Ｘは、＞ＣＲ10Ｒ11、酸素原子又は硫黄原子を表し、
Ｒ10及びＲ11は、それぞれ独立に、炭素原子数１〜２０のアルキル基、炭素原子数６〜３０のアリール基、炭素原子数７〜３０のアリールアルキル基、炭素原子数８〜３０のアリールアルケニル基、炭素原子数２〜３０の複素環含有基又はメタロセニル基を表し、
Ｒ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基又はＲ1、Ｒ2、Ｒ3、Ｒ4、Ｒ5、Ｒ6、Ｒ7、Ｒ8、Ｒ10及びＲ11で表される炭素原子数７〜３０のアリールアルキル基又は炭素原子数８〜３０のアリールアルケニル基中のメチレン基は、−Ｏ−、−Ｓ−、−ＣＯ−、−ＣＯＯ−、−ＯＣＯ−、−ＣＯＳ−、−ＯＣＳ−、−ＳＯ2−、−ＮＨ−、−ＣＯＮＨ−、−ＮＨＣＯ−、−ＳＯ2−ＮＨ−、−ＮＨ−ＳＯ2−、−Ｎ＝ＣＨ−又は−ＣＨ＝ＣＨ―により、酸素原子が隣り合わない条件で置き換わっている場合もあり、
Ｒ1、Ｒ2、Ｒ3、Ｒ4、Ｒ5、Ｒ6、Ｒ7、Ｒ8、Ｒ9、Ｒ10及びＲ11で表される基のアルキル部分は、分岐側鎖を有している場合もあり、環状アルキルである場合もあり、置換基を有している場合もあり、
Ｒ1とＲ2、Ｒ2とＲ3、Ｒ3とＲ4、Ｒ4とＲ5、Ｒ1とＲ10、Ｒ6とＲ8、Ｒ8とＲ9又はＲ10とＲ11は、それぞれ一緒になって環を形成している場合もあり、形成した環は置換基を有している場合もあり、
Ｇは、酸素原子、硫黄原子又は下記＜群１＞より選択される基を表し、
Ａは、ｍ＝１のとき、結合手ではなく、ｍ≧２のとき、単結合、窒素原子、−ＮＲ12−、酸素原子、硫黄原子、−ＳＯ2−、−ＳＯ−、リン原子、−ＰＲ13−、Ｅm+（Ｊ-）m、（Ｍ+）mＬm-又は下記（ｉ）〜（ｖ）の何れかの条件を満たす有機基を表し、Ｅはｍ価の陽イオンを表し、Ｊは一価の陰イオンを表し、Ｍは一価の陽イオンを表し、Ｌはｍ価の陰イオンを表し、
Ｒ12及びＲ13は、それぞれ独立に、水素原子、炭素原子数１〜８のアルキル基、炭素原子数６〜３０のアリール基、炭素原子数７〜３０のアリールアルキル基又は炭素原子数８〜３０のアリールアルケニル基を表し、
Ｒ12及びＲ13で表されるアルキル基、アリール基、アリールアルキル基又はアリールアルケニル基は、ハロゲン原子、水酸基又はニトロ基で置換されている場合もあり、塩を形成した置換基を有している場合もあり、Ｒ12及びＲ13で表されるアルキル基、アリールアルキル基又はアリールアルケニル基中のメチレン基は、−ＣＯＯ−、−Ｏ−、−ＯＣＯ−、−ＮＨＣＯ−、−ＮＨ−又は−ＣＯＮＨ−により、酸素原子が隣り合わない条件で置き換わっている場合もあり、
ｍは１〜６であり、ｍ≧２のとき、Ａは、Ｒ1、Ｒ2、Ｒ3、Ｒ4、Ｒ5、Ｒ6、Ｒ7、Ｒ8及びＲ9の何れか１つ以上の置換基と連結し、複数あるＲ1、Ｒ2、Ｒ3、Ｒ4、Ｒ5、Ｒ6、Ｒ7、Ｒ8、Ｒ9、ｎ、Ｘ及びＧは、同一であっても異なっていてもよく、ｎは０又は１である。）【０００８】
【化２】
2016158639.tif 000003
（式中、Ｒ及びＲ’は、それぞれ独立に、炭素原子数１〜１０のアルキル基
、炭素原子数６〜３０のアリール基、炭素原子数７〜３０のアリールアルキル基又は炭素原子数８〜３０のアリールアルケニル基を表し、＊は、＊部分で、隣接する基と結合することを意味する。）
（ｉ）ｍ＝２であり、Ａが下記一般式（１）で表される。【０００９】
【化３】
2016158639.tif 000004
（式中、Ｘ1は、−ＮＲ14−、二価の炭素原子数１〜３５の脂肪族炭化水素基、二価の炭素原子数３〜３５の脂環式炭化水素基、二価の炭素原子数６〜３５の芳香環含有炭化水素基、二価の炭素原子数２〜３５の複素環含有基又は下記（１−Ａ）〜（１−Ｃ）の何れかで表される基を表し、
Ｚ1及びＺ2は、それぞれ独立に、直接結合、−Ｏ−、−Ｓ−、−ＳＯ2−、−ＳＯ−、−ＮＲ14−、−ＰＲ15−、−ＣＯ−、又はこれらの組み合わせを表し、
Ｒ14及びＲ15は、それぞれ独立に、水素原子、炭素原子数１〜１０のアルキル基、炭素原子数６〜３０のアリール基、炭素原子数７〜３０のアリールアルキル基又は炭素原子数８〜３０のアリールアルケニル基を表し、
Ｒ14及びＲ15で表されるアルキル基、アリール基、アリールアルキル基又はアリールアルケニル基は、ハロゲン原子、水酸基又はニトロ基で置換されている場合もあり、
Ｒ14及びＲ15で表されるアルキル基、アリールアルキル基又はアリールアルケニル基中のメチレン基は、−ＣＯＯ−、−Ｏ−、−ＯＣＯ−、−ＮＨＣＯ−、−ＮＨ−又は−ＣＯＮＨ−により、酸素原子が隣り合わない条件で置き換わっている場合もあり、＊は、＊部分で、隣接する基と結合することを意味する。
但し、上記一般式（１）で表される基は炭素原子数１〜３５の範囲内である。）【００１０】
【化４】
2016158639.tif 000005
（式中、Ｒ21は、炭素原子数１〜１０のアルキル基若しくはアルコキシ基により置換されている場合があるフェニル基、又は炭素原子数３〜１０のシクロアルキル基を表し、Ｒ22は、炭素原子数１〜１０のアルキル基、炭素原子数１〜１０のアルコキシ基、炭素原子数２〜１０のアルケニル基又はハロゲン原子を表し、
Ｒ21及びＲ22で表されるアルキル基、アルコキシ基又はアルケニル基はハロゲン原子で置換されているか又は無置換であり、
ｄは０〜４の整数であり、＊は、＊部分で、隣接する基と結合することを意味する。）【００１１】
【化５】
2016158639.tif 000006
（式中の＊は、＊部分で、隣接する基と結合することを意味する。）【００１２】
【化６】
2016158639.tif 000007
（式中、Ｒ23及びＲ24は、それぞれ独立に、炭素原子数１〜１０のアルキル基、炭素原子数６〜３０のアリール基、炭素原子数６〜３０のアリールオキシ基、炭素原子数６〜３０のアリールチオ基、炭素原子数７〜３０のアリールアルキル基、炭素原子数８〜３０のアリールアルケニル基、炭素原子数２〜３０の複素環含有基又はハロゲン原子を表し、
Ｒ23及びＲ24で表されるアルキル基、アリール基、アリールオキシ基、アリールチオ基、アリールアルケニル基、アリールアルキル基又は複素環含有基は、ハロゲン原子で置換されているか又は無置換であり、
Ｒ23及びＲ24で表されるアルキル基、アリールアルキル基又はアリールアルケニル基中のメチレン基は、不飽和結合、−Ｏ−又は−Ｓ−により、酸素原子が隣り合わない条件で置き換わっている場合もあり、
Ｒ23は、隣接するＲ23同士で環を形成している場合もあり、
ｅは０〜４の数を表し、ｆは０〜８の数を表し、ｇは０〜４の数を表し、ｈは０〜４の数を表し、ｇとｈの数の合計は２〜４であり、＊は、＊部分で、隣接する基と結合することを意味する。）
（２ii）ｍ＝３であり、Ａが下記一般式（２）で表される。【００１３】
【化７】
2016158639.tif 000008
（式中、Ｘ2は、Ｒ25で置換された炭素原子、三価の炭素原子数１〜３５の脂肪族炭化水素基、三価の炭素原子数３〜３５の脂環式炭化水素基、三価の炭素原子数６〜３５の芳香環含有炭化水素基又は三価の炭素原子数２〜３５の複素環含有基を表し、
Ｒ25は、水素原子、炭素原子数１〜８のアルキル基、炭素原子数６〜３０のアリール基、炭素原子数７〜３０のアリールアルキル基又は炭素原子数８〜３０のアリールアルケニル基を表し、
Ｘ2で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ3は、それぞれ独立に、上記一般式（１）におけるＺ1及びＺ2で表される基と同じであり、＊は、＊部分で、隣接する基と結合することを意味する。
但し、上記一般式（２）で表わされる基は炭素原子数１〜３５の範囲内である。）
（iii）ｍ＝４であり、Ａが下記一般式（３）で表される。【００１４】
【化８】
2016158639.tif 000009
（式中、Ｘ3は、炭素原子、四価の炭素原子数１〜３５の脂肪族炭化水素基、四価の炭素原子数３〜３５の脂環式炭化水素基、四価の炭素原子数６〜３５の芳香環含有炭化水素基又は四価の炭素原子数２〜３５の複素環含有基を表し、
Ｘ3で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ4は、それぞれ独立に、上記一般式（１）におけるＺ1及びＺ2で表される基と同じであり、＊は、＊部分で、隣接する基と結合することを意味する。
但し、上記一般式（３）で表される基は炭素原子数１〜３５の範囲内である。）
（iv）ｍ＝５であり、Ａが下記一般式（４）で表される。【００１５】
【化９】
2016158639.tif 000010
（式中、Ｘ4は、五価の炭素原子数２〜３５の脂肪族炭化水素基、五価の炭素原子数３〜３５の脂環式炭化水素基、五価の炭素原子数６〜３５の芳香環含有炭化水素基又は五価の炭素原子数２〜３５の複素環含有基を表し、
Ｘ4で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ5は、それぞれ独立に、上記一般式（１）におけるＺ1及びＺ2で表される基と同じであり、＊は、＊部分で、隣接する基と結合することを意味する。
但し上記一般式（４）で表される基は炭素原子数２〜３５の範囲内である。）
（v）ｍ＝６であり、Ａが下記一般式（５）で表される。【００１６】
【化１０】
2016158639.tif 000011
（式中、Ｘ5は、六価の炭素原子数２〜３５の脂肪族炭化水素基、六価の炭素原子数３〜３５の脂環式炭化水素基、六価の炭素原子数６〜３５の芳香環含有炭化水素基又は六価の炭素原子数２〜３５の複素環含有基を表し、
Ｘ5で表される脂肪族炭化水素基は、−ＣＯＯ−、−Ｏ−、−ＯＣＯ−、−ＮＨＣＯ−、−ＮＨ−、−ＣＯＮＨ−、−Ｏ−ＣＯＮＨ−又は−ＮＨＣＯ−Ｏ−により、酸素原子が隣り合わない条件で置き換わっている場合もあり、
Ｚ1〜Ｚ6は、それぞれ独立に、上記一般式（１）におけるＺ1及びＺ2で表される基と同じであり、＊は、＊部分で、隣接する基と結合することを意味する。
但し上記一般式（５）で表される基は炭素原子数２〜３５の範囲内である。）【００１７】
また、本発明は、上記メロシアニン化合物を含有する組成物並びに該組成物を用いて得られる光学フィルム及び光学フィルタを提供するものである。
【発明の効果】
【００１８】
本発明によれば、耐光性に優れるメロシアニン化合物を提供することができる。
【発明を実施するための形態】
【００１９】
以下、本発明のメロシアニン化合物について、好ましい実施形態に基づき説明する。
【００２０】
本発明のメロシアニン化合物は、上記一般式（Ｉ）で表される構造を有する。
【００２１】
上記一般式（Ｉ）におけるＲ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基としては、メチル、エチル、プロピル、イソプロピル、ブチル、第二ブチル、第三ブチル、イソブチル、アミル、イソアミル、第三アミル、ヘキシル、シクロヘキシル、シクロヘキシルメチル、シクロヘキシルエチル、ヘプチル、イソヘプチル、第三ヘプチル、ｎ−オクチル、イソオクチル、第三オクチル、２−エチルヘキシル、ノニル、イソノニル、デシル、ウンデシル、ドデシル、トリデシル、テトラデシル等が挙げられ、
Ｒ1、Ｒ2、Ｒ3、Ｒ4、Ｒ5、Ｒ6、Ｒ7、Ｒ8、Ｒ10及びＲ11で表される炭素原子数６〜３０のアリール基としては、フェニル、ナフチル、ビフェニル、アントラセン−１−イル、フェナントレン−１−イル等の単環又は縮環構造の芳香族系炭化水素環（環構造の部分のみをいう。以下、「芳香族系炭化水素環」において同じ）あるいはその連結構造が挙げられ、
Ｒ1、Ｒ2、Ｒ3、Ｒ4、Ｒ5、Ｒ6、Ｒ7、Ｒ8、Ｒ10及びＲ11で表される炭素原子数７〜３０のアリールアルキル基又は炭素原子数８〜３０のアリールアルケニル基としては、としては、ベンジル、フェネチル、２−フェニルプロピル、３−フェニルプロピル、ジフェニルメチル、トリフェニルメチル、スチリル、シンナミル等の単環又は縮環の芳香族系炭化水素環あるいはその連結構造が結合したアルキル基又はアルケニル基が挙げられる。
Ｒ1、Ｒ2、Ｒ3、Ｒ4、Ｒ5、Ｒ6、Ｒ7、Ｒ8、Ｒ10及びＲ11は炭素原子数２〜３０の複素環含有基とも表される。かかる炭素原子数２〜３０の複素環含有基において、複素環含有基とは、少なくとも一つの複素環を含有する基を意味し、炭素原子数は、基全体の炭素原子数を意味する。以下の説明において、複素環含有基の炭素原子数が規定されている場合は、全て、基全体の炭素原子数を意味する。上記炭素原子数２〜３０の複素環含有基としては、例えば、ピリジル、ピリミジル、ピリダジル、ピペラジル、ピペリジル、ピラニル、ピラゾリル、トリアジル、ピロリジル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、ユロリジル、モルフォリニル、チオモルフォリニル、２−ピロリジノン−１−イル、２−ピペリドン−１−イル、２，４−ジオキシイミダゾリジン−３−イル、２，４−ジオキシオキサゾリジン−３−イル等の単環又は縮環構造の複素環（環構造の部分のみをいう。以下、「単環又は縮環構造の複素環」において同じ）あるいはその連結構造が挙げられる。
Ｒ1、Ｒ2、Ｒ3、Ｒ4、Ｒ6、Ｒ7及びＲ8で表されるメタロセニル基としては、フェロセニル、ニッケロセニル、コバルトニル、フェロセンアルキル、フェロセンアルコキシ等が挙げられ、
Ｒ1、Ｒ2、Ｒ3、Ｒ4、Ｒ6、Ｒ7、Ｒ8、Ｒ10及びＲ11で表されるハロゲン原子としては、フッ素、塩素、臭素、ヨウ素が挙げられる。
【００２２】
上記一般式（Ｉ）におけるＲ1とＲ2、Ｒ2とＲ3、Ｒ3とＲ4、Ｒ4とＲ5、Ｒ1とＲ10、Ｒ6とＲ8、Ｒ8とＲ9又はＲ10とＲ11が連結して形成する環構造としては、ピペリジン環、ピペラジン環、ピロリジン環、モルフォリン環、チオモルフォリン環、ピリジン環、ピラジン環、ピリミジン環、ピリダジン環、トリアジン環、キノリン環、イソキノリン環、イミダゾール環、オキサゾール環、イミダゾリジン環、ピラゾリジン環、イソオキサゾリジン環、イミノオキサゾリジン環、イソチアゾリジン環、ロダニン環、チオオキサゾリドン環、チオヒダントイン環、インダンジオン環、チアナフテン環、ピラゾロン環、ピリドン環、ピラゾリジンジオン環、ローダニン環、バルビツール酸環、チオバルビツール酸環、オキサゾロン環、ヒダントイン環、チオヒダントイン環、スクシンイミド環、マレイミド環等が挙げられ、これらの環は他の環と縮合されている場合もあり、また上記一般式（Ｉ）におけるＲ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基等と同様の置換基を有する場合がある。
【００２３】
上記一般式（Ｉ）におけるＲ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基、Ｒ1、Ｒ2、Ｒ3、Ｒ4、Ｒ5、Ｒ6、Ｒ7、Ｒ8、Ｒ10及びＲ11で表される炭素原子数６〜３０のアリール基、Ｒ1、Ｒ2、Ｒ3、Ｒ4、Ｒ5、Ｒ6、Ｒ7、Ｒ8、Ｒ10及びＲ11で表される炭素原子数７〜３０のアリールアルキル基又は炭素原子数８〜３０のアリールアルケニル基、並びにＲ1、Ｒ2、Ｒ3、Ｒ4、Ｒ5、Ｒ6、Ｒ7、Ｒ8、Ｒ10及びＲ11で表される炭素原子数２〜３０の複素環含有基は置換基を有していてもよい。上記炭素原子数１〜２０のアルキル基の置換基としては、以下に例示の置換基のうち、アルキル基、アリールアルキル基以外の置換基が挙げられる。炭素原子数６〜３０のアリール基、好ましくは単環又は縮環構造の芳香族系炭化水素環あるいはその連結構造の置換基としては、以下に例示の置換基のうち、アリール基以外の置換基が挙げられる。炭素原子数７〜３０のアリールアルキル基又は炭素原子数８〜３０のアリールアルケニル基、好ましくは単環又は縮環構造の芳香族系炭化水素環或いはその連結構造が結合したアルキル基又はアルケニル基の置換基としては、以下に例示の置換基が挙げられる。ただし、以下に例示の置換基のうち、アルキル基、アリールアルキル基、アリールアルケニル基は、炭素原子数７〜３０のアリールアルキル基又は炭素原子数８〜３０のアリールアルケニル基の芳香族系炭化水素環に置換する。炭素原子数２〜３０の複素環含有基、好ましくは単環又は縮環構造の複素環或いはその連結構造の置換基としては、以下に例示の置換基のうち、複素環含有基以外の置換基が挙げられる。尚、Ｒ1、Ｒ2、Ｒ3、Ｒ4、Ｒ5、Ｒ6、Ｒ7、Ｒ8、Ｒ9、Ｒ10又はＲ11の何れかが、上記の炭素原子数１〜２０のアルキル基、炭素原子数６〜３０のアリール基、炭素原子数７〜３０のアリールアルキル基、炭素原子数８〜３０のアリールアルケニル基又は炭素原子数２〜３０の複素環含有基であり、且つ、それらの基が、以下の置換基の中でも、炭素原子を含有する置換基を有する場合は、該置換基を含めた全体の炭素原子数が、規定された範囲を満たすものとする。つまり、炭素原子数１〜２０のアルキル基が、炭素原子を含有する置換基を有する場合の炭素原子数の範囲は、１〜２０であり、炭素原子数６〜３０のアリール基が、炭素原子を含有する置換基を有する場合の炭素原子数の範囲は、６〜３０であり、炭素原子数７〜３０のアリールアルキル基が、炭素原子を含有する置換基を有する場合の炭素原子数の範囲は、７〜３０であり、炭素原子数８〜３０のアリールアルケニル基が、炭素原子を含有する置換基を有する場合の炭素原子数の範囲は、８〜３０であり、炭素原子数２〜３０の複素環含有基が、炭素原子を含有する置換基を有する場合の炭素原子数の範囲は、２〜３０である。
上記置換基としては、例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、２−エチルへキシル、３−へキシル（又はヘキサン−３−イル）、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、ノニル、イソノニル、デシル、ラウリル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル（又は１−メチル−２−プロペニル）、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ペンタデセニル、エイコセニル、トリコセニル等のアルケニル基；ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環含有基；フッ素、塩素、臭素、ヨウ素等のハロゲン原子；アセチル、２−クロロアセチル、プロピオニル、オクタノイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル含有基、カルボン酸基、シアノ基、スルホン酸基、水酸基、ニトロ基、メルカプト基、イミド基、カルバモイル基、リン酸基等が挙げられ、これらの基は更に置換されていてもよい。また、上記カルボキシル基、スルホ基及びリン酸基等の酸性基は、種々の陽イオンと塩を形成していてもよく、上記置換アミノ基は四級化した後、種々の陰イオンと塩を形成していてもよい。上記陽イオンとしては、アルカリ金属イオン、アルカリ土類金属イオン、遷移金属カチオン、炭素原子数４以上のアンモニウム、アミジニウム、グアニジニウムカチオン等が挙げられ、陰イオンとしては、例えば、一価のものとして、塩化物イオン、臭化物イオン、ヨウ化物イオン、フッ化物イオン等のハロゲン化物イオン；過塩素酸イオン、塩素酸イオン、チオシアン酸イオン、ヘキサフルオロリン酸イオン、ヘキサフルオロアンチモン酸イオン、テトラフルオロホウ酸イオン等の無機系陰イオン；メタンスルホン酸イオン、ドデシルスルホン酸イオン、ベンゼンスルホン酸イオン、トルエンスルホン酸イオン、トリフルオロメタンスルホン酸イオン、ペンタフルオロベンゼンスルホン酸イオン、ジフェニルアミン−４−スルホン酸イオン、２−アミノ−４−メチル−５−クロロベンゼンスルホン酸イオン、２−アミノ−５−ニトロベンゼンスルホン酸イオン、フタロシアニンスルホン酸イオン、パーフルオロ−４−エチルシクロヘキサンスルホン酸イオン、ナフタレンモノスルホン酸、ナフタレンジスルホン酸、ナフタレントリスルホン酸、ナフチルアミンモノスルホン酸、ナフチルアミンジスルホン酸、ナフチルアミントリスルホン酸、ナフトールモノスルホン酸、ナフトールジスルホン酸、ナフトールトリスルホン酸等の有機スルホン酸系陰イオン；チオシアン酸イオン、リンタングステンモリブデン酸イオン、リンタングステン酸イオン、リンモリブデン酸イオン、タンニン酸イオン、酒石酸イオン、パルミチン酸イオン、ステアリン酸イオン、オレイン酸イオン、リノール酸イオン、オクチルリン酸イオン、ドデシルリン酸イオン、オクタデシルリン酸イオン、フェニルリン酸イオン、ノニルフェニルリン酸イオン、２，２’−メチレンビス（４，６−ジ−ｔ−ブチルフェニル）ホスホン酸イオン等の有機リン酸系陰イオン、ビストリフルオロメチルスルホニルイミドイオン、ビスパーフルオロブタンスルホニルイミドイオン、テトラキス（ペンタフルオロフェニル）ホウ酸イオン、トリス（フルオロアルキルスルホニル）カルボアニオン、テトラキスペンタフルオロフェニルボレートアニオン等が挙げられる。
【００２４】
上記一般式（Ｉ）におけるＲ1、Ｒ2、Ｒ3、Ｒ4、Ｒ5、Ｒ6、Ｒ7、Ｒ8、Ｒ9、Ｒ10及びＲ11（後述の群２中のＲ125及びＲ126、一般式（ＩＩＩ）中のＲ31、一般式（ＩＶ）中のＲ35において同じ）で表される炭素原子数１〜２０のアルキル基としては、無置換のもの、フッ素、塩素、臭素等のハロゲン原子；置換アミノ基；スルホンアミド基、スルホニル基、カルボキシル基、シアノ基、スルホ基、水酸基、ニトロ基、メルカプト基、イミド基、カルバモイル基、スルホンアミド基、リン酸基等で置換されたもの、アルキル基中のメチン鎖が、ＳＯ2ＮＨ、ＮＨＳＯ2、Ｏ、ＮＨＣＯ、ＣＯＮＨで置き換わったもの、アルキル基（置換基を有するアルキル基を含む）が塩を形成したものが好ましい。
Ｒ1、Ｒ2、Ｒ3、Ｒ4、Ｒ5、Ｒ6、Ｒ7、Ｒ8、Ｒ10及びＲ11（後述の群２中のＲ125及びＲ126、一般式（ＩＩＩ）中のＲ31、一般式（ＩＶ）中のＲ35において同じ）で表される炭素原子数６〜３０のアリール基としては、無置換のもの、上記アルキル基、アリールアルキル基、フッ素、塩素、臭素、ヨウ素等のハロゲン原子；置換アミノ基；スルホンアミド基、スルホニル基、カルボキシル基、シアノ基、スルホ基、水酸基、ニトロ基、メルカプト基、イミド基、カルバモイル基、スルホンアミド基、リン酸基等で置換されたもの、アリール基に置換されたアルキル基、アリールアルキル基又はアリールアルケニル基中のメチレン基が、−ＳＯ2−ＮＨ−又は−ＮＨ−ＳＯ2−、Ｏ、ＮＨＣＯ、ＣＯＮＨで置き換わったもの、アリール基が塩を形成したもの（置換基を有するアリール基を含む。）
Ｒ1、Ｒ2、Ｒ3、Ｒ4、Ｒ5、Ｒ6、Ｒ7、Ｒ8、Ｒ10及びＲ11（後述の群２中のＲ125及びＲ126、一般式（ＩＩＩ）中のＲ31、一般式（ＩＶ）中のＲ35において同じ）で表される炭素原子数７〜３０のアリールアルキル基又は炭素原子数８〜３０のアリールアルケニル基としては、無置換のもの、上記アルキル基、アルコキシ基、フッ素、塩素、臭素等のハロゲン原子置換アミノ基；スルホンアミド基、スルホニル基、カルボキシル基、シアノ基、スルホ基、水酸基、ニトロ基、メルカプト基、イミド基、カルバモイル基、スルホンアミド基、リン酸基等で置換されたもの、アリールアルキル基中のメチン鎖が、酸素原子、−ＳＯ2−ＮＨ−又は−ＮＨ−ＳＯ2−、Ｏ、ＮＨＣＯ、ＣＯＮＨで置き換わったもの、アルキル基（置換基を有するアルキル基を含む）が塩を形成したものが好ましい。
【００２５】
上記一般式（Ｉ）において、Ｒ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基、Ｒ1、Ｒ2、Ｒ3、Ｒ4、Ｒ5、Ｒ6、Ｒ7、Ｒ8、Ｒ10及びＲ11で表される炭素原子数６〜３０のアリール基並びにＲ1、Ｒ2、Ｒ3、Ｒ4、Ｒ5、Ｒ6、Ｒ7、Ｒ8、Ｒ10及びＲ11で表される炭素原子数７〜３０のアリールアルキル基又は炭素原子数８〜３０のアリールアルケニル基中の末端のメチル基は、カルボキシル基、スルホ基及びリン酸基等の酸性基が種々の陽イオンと塩を形成した置換基を有していてもよく、或いは置換アミノ基を四級化した後種々の陰イオンと塩を形成した置換基を有していてもよい。
【００２６】
このような塩を形成した置換基のうち、酸性基と塩を形成する陽イオンとしては、マグネシウム、カルシウム、ストロンチウム、バリウム等のアルカリ土類金属イオン、アルミニウムなどの典型金属イオン、亜鉛、ニッケル、コバルト、銅、バナジウム等遷移金属カチオン、炭素原子数４以上のアンモニウム等が挙げられ、四級化した置換アミノ基と塩を形成する陰イオンとしては、一価のものとして、塩化物イオン、臭化物イオン、ヨウ化物イオン、フッ化物イオン等のハロゲン化物イオン；過塩素酸イオン、ヘキサフルオロリン酸イオン、ヘキサフルオロアンチモン酸イオン、テトラフルオロホウ酸イオン等の無機系陰イオン；メタンスルホン酸イオン、ドデシルスルホン酸イオン等の有機スルホン酸系陰イオン；リンモリブデン酸イオンなどのヘテロポリ酸イオン、ビストリフルオロメチルスルホニルイミドイオン、ビスパーフルオロブタンスルホニルイミドイオン、テトラキス（ペンタフルオロフェニル）ホウ酸イオン、トリス（フルオロアルキルスルホニル）カルボアニオン、テトラキスペンタフルオロフェニルボレートアニオン等が挙げられる。
【００２７】
上記一般式（Ｉ）において、塩を形成した置換基は、酸性染料をレーキ化する沈殿剤、或いは塩基性染料をレーキ化する沈殿剤を用いて得ることができる。上記酸性染料をレーキ化する沈殿剤としては、例えば、塩化バリウム、塩化アルミニウム、アルカリ土類金属塩、マンガン塩、ナトリウム塩等を用いることができ、上記塩基性染料をレーキ化する沈殿剤としては、リンタングステンモリブデン酸、リンタングステン酸、リンモリブデン酸、ケイ素タングステンモリブデン酸、ケイ素モリブデン酸、タンニン酸、酒石酸、カオリン、緑土、高級脂肪酸等を用い、水溶液又は水分散液中で必要に応じて加熱、ろ過することにより得ることができる。
【００２８】
上記一般式（Ｉ）において、ｍ＝１のとき、Ａは結合手ではない。つまり、ｍ＝１のとき、上記一般式（Ｉ）は、下記一般式（Ｉ−１）で表される。
【化１１】
2016158639.tif 000012
（式中、Ｒ1、Ｒ2、Ｒ3、Ｒ4、Ｒ5、Ｒ6、Ｒ7、Ｒ8、Ｒ9、ｎ及びＧは、上記一般式（Ｉ）と同じである。）
【００２９】
上記一般式（Ｉ−１）で表されるメロシアニン化合物は、ｎが１の場合、下記一般式に示されるような構造を取りうるが、どちらの構造式であってもよく、また、どちらの構造式で表される構造異性体を単離して用いても、或いはそれらの混合物として用いてもよい。
さらに下記一般式は、ＮＲ5基とＲ6基とが二重結合に対してシス配置（Ｚ配置）になっているが、これらがトランス配置（Ｅ配置）になるものも含まれる。式（Ｉ−１）はこれら炭素炭素二重結合に起因する全ての幾何異性体を含む意味として定義される。
【００３０】
【化１１Ａ】
2016158639.tif 000013
（式中、Ｒ1、Ｒ2、Ｒ3、Ｒ4、Ｒ5、Ｒ6、Ｒ7、Ｒ8、Ｒ9、及びＧは、上記一般式（Ｉ−１）と同じである。）
【００３１】
上記一般式（Ｉ）におけるＡが−ＮＲ12−で表されるときのＲ12、−ＰＲ13−で表されるときのＲ13、或いは群１中Ｒ及びＲ’で表される炭素原子数
１〜１０のアルキル基、炭素原子数６〜３０のアリール基、炭素原子数７〜３０のアリールアルキル基又は炭素原子数８〜３０のアリールアルケニル基としては、一般式（Ｉ）の説明で例示したアルキル基、アリール基、アリールアルキル基又はアリールアルケニル基のうち、所定の炭素原子数を満たすもの等が挙げられる。
【００３２】
上記一般式（Ｉ）におけるＡがＥm+（Ｊ-）mで表されるとは、より具体的には、ｍ≧２の場合に、一般式（Ｉ）におけるＡ以外の部分が、ｍ個のＪ-である一価の陰イオンとなり、これらの陰イオンが、Ｅm+（Ａ）であるｍ価の陽イオンと結合している状態をいう。後述の例示化合物で言えば、化合物Ｎｏ．８４、Ｎｏ．８５、Ｎｏ．８７〜Ｎｏ．９０が該当する。
【００３３】
Ｅを表すｍ価の陽イオンは、２価の陽イオンとしては、マグネシウム、カルシウム、ストロンチウム、バリウム等のアルカリ土類金属イオン；亜鉛、銅、ニッケル等の遷移金属カチオン等が挙げられ、３価の陽イオンとしては、アルミニウム等の典型金属イオン；コバルト、鉄等の遷移金属カチオン等が挙げられ、４価以上の陽イオンとしては、マンガン等の遷移金属カチオン等が挙げられる。
【００３４】
上記一般式（Ｉ）におけるＡが（Ｍ+）mＬm-で表されるとは、より具体的には、ｍ≧２の場合に、一般式（Ｉ）におけるＡ以外の部分が、ｍ個のＭ+である一価の陽イオンとなり、これらの陽イオンが、Ｌm―（Ａ）であるｍ価の陰イオンと結合している状態をいう。後述の例示化合物で言えば、化合物Ｎｏ．８６、Ｎｏ．９１〜Ｎｏ．９５が該当する。
【００３５】
Ｌを表すｍ価の陰イオンは、２価の陰イオンとしては、クロム酸イオン等が挙げられ、３価の陰イオンとしては、リンモリブデン酸イオン、リンタングステン酸イオン、リンタングストモリブデン酸イオン、バナジン酸イオン等が挙げられ、４価の陰イオンとしては、ケイタングステン酸イオン等が挙げられ、５価以上の陰イオンとしては、リンバナドモリブデン酸イオン、モリブデン酸イオン等が挙げられる。
【００３６】
上記一般式（１）〜（５）において、炭素原子数３〜３５の脂環式炭化水素基とは、少なくとも一つの飽和の単環又は多環を含む炭素原子数３〜３５の炭化水素基を意味し、芳香環含有炭化水素基とは、少なくとも一つの芳香環を含む炭素原子数６〜３５の炭化水素基を意味する。
【００３７】
上記一般式（１）におけるＸ1で表される二価の炭素原子数１〜３５の脂肪族炭化水素基としては、メタン、エタン、プロパン、ｉｓｏ−プロパン、ブタン、ｓｅｃ−ブタン、ｔｅｒｔ−ブタン、ｉｓｏ−ブタン、ヘキサン、２−メチルヘキサン、３−メチルヘキサン、ヘプタン、２−メチルヘプタン、３−メチルヘプタン、ｉｓｏ−ヘプタン、ｔｅｒｔ−ヘプタン、１−メチルオクタン、ｉｓｏ−オクタン、ｔｅｒｔ−オクタン、シクロプロパン、シクロブタン、シクロペンタン、シクロヘキサン、シクロヘプタン、２，４−ジメチルシクロブタン、４−メチルシクロヘキサン等の基が、Ｚ1及びＺ2で置換された二価の基が挙げられ、これらの基は、−Ｏ−、−Ｓ−、−ＣＯ−、−ＣＯＯ−、−ＯＣＯ−、−ＮＨ−又はこれら
を組み合わせた基で置き換わっていてもよく、
二価の炭素原子数３〜３５の脂環式炭化水素基としては、シクロペンチル、シクロヘキシル、シクロヘプチル、シクロオクチル、シクロデカニル、１−アダマンチル、２−アダマンチル、ノルアダマンチル、２−メチルアダマンチル、ノルボルニル、イソノルボルニル、パーヒドロナフチル、パーヒドロアントラセニル、ビシクロ［１．１．０］ブチル、ビシクロ［１．１．１］ペンチル、ビシクロ［２．１．０］ペンチル、ビシクロ［３．１．０］ヘキシル、ビシクロ［２．１．１］ヘキシル、ビシクロ［２．２．０］ヘキシル、ビシクロ［４．１．０］ヘプチル、ビシクロ［３．２．０］ヘプチル、ビシクロ［３．１．１］ヘプチル、ビシクロ［２．２．１］ヘプチル、ビシクロ［５．１．０］オクチル、ビシクロ［４．２．０］オクチル、ビシクロ［４．１．１］オクチル、ビシクロ［３．３．０］オクチル、ビシクロ［３．２．１］オクチル、ビシクロ［２．２．２］オクチル、スピロ〔４，４〕ノナニル、スピロ〔４，５〕デカニル、デカリン、トリシクロデカニル、テトラシクロドデカニル、セドロール、シクロドデカニル等の基が、Ｚ1及びＺ2で置換された二価の基等が挙げられ、
二価の炭素原子数６〜３５の芳香環含有炭化水素基としては、フェニレン、ナフチレン、ビフェニル等の基が、Ｚ1及びＺ2で置換された二価の基等が挙げられ、
二価の炭素原子数２〜３５の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオラン等の基が、Ｚ1及びＺ2で置換された二価の基が挙げられる。
これらの基はハロゲン原子、シアノ基、ニトロ基又は炭素原子数１〜１０のアルコキシ基でさらに置換されていてもよい。
上記一般式（１）におけるＲ14及びＲ15で表される炭素原子数１〜１０のアルキル基、炭素原子数６〜３０のアリール基、炭素原子数７〜３０のアリールアルキル基又は炭素原子数８〜３０のアリールアルケニル基これらの基を置換してもよいハロゲン原子としては、上記一般式（Ｉ）の説明において例示した基が挙げられる。
【００３８】
上記一般式（１−Ａ）において、Ｒ21で表される炭素原子数３〜１０のシクロアルキル基としては、シクロプロピル、シクロブチル、シクロペンチル、シクロへブチル、シクロオクチル等及びこれらの基が炭素原子数１〜１０のアルキル基若しくは炭素原子数１〜１０のアルコキシ基で置換された基等が挙げられ、
上記炭素原子数１〜１０のアルキル基及びＲ22で表される炭素原子数１〜１０のアルキル基としては、上記一般式（Ｉ）の説明において例示した基等が挙げられ、
上記アルコキシ基及びＲ22で表される炭素原子数１〜１０のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等が挙げられ、
Ｒ22で表される炭素原子数２〜１０のアルケニル基としては、ビニル、アリル、１−プロペニル、イソプロペニル、２−ブテニル、１，３−ブタジエニル、２−ペンテニル、２−オクテニル等が挙げられ、
上記Ｒ22におけるアルキル基、アルコキシ基及びアルケニル基はハロゲン原子で置換されていてもよく、その置換位置は制限されない。
【００３９】
上記一般式（１−Ｃ）において、Ｒ23及びＲ24で表される炭素原子数１〜１０のアルキル基、炭素原子数６〜３０のアリール基、炭素原子数７〜３０のアリールアルキル基、又は炭素原子数８〜３０のアリールアルケニル基及びハロゲン原子としては、上記一般式（Ｉ）の説明において例示した基が挙げられ、
Ｒ23及びＲ24で表される炭素原子数６〜３０のアリールオキシ基としては、フェニルオキシ、ナフチルオキシ、２−メチルフェニルオキシ、３−メチルフェニルオキシ、４−メチルフェニルオキシ、４−ビニルフェニル二オキシ、３−ｉｓｏ−プロピルフェニルオキシ、４−ｉｓｏ−プロピルフェニルオキシ、４−ブチルフェニルオキシ、４−ｔｅｒｔ−ブチルフェニルオキシ、４−へキシルフェニルオキシ、４−シクロヘキシルフェニルオキシ、４−オクチルフェニルオキシ、４−（２−エチルヘキシル）フェニルオキシ、２，３−ジメチルフェニルオキシ、２，４−ジメチルフェニルオキシ、２，５−ジメチルフェニルオキシ、２．６−ジメチルフェニルオキシ、３．４−ジメチルフェニルオキシ、３．５−ジメチルフェニルオキシ、２，４−ジーｔｅｒｔ−ブチルフェニルオキシ、２，５−ジーｔｅｒｔ−ブチルフェニルオキシ、２，６−ジーｔｅｒｔ−ブチルフェニルオキシ、２．４−ジーｔｅｒｔ−ペンチルフェニルオキシ、２，５−ｔｅｒｔ−アミルフェニルオキシ、４−シクロへキシルフェニルオキシ、２，４，５−トリメチルフェニルオキシ、フェロセニルオキシ等の基及びこれらの基がハロゲン原子で置換された基が奉げられ、
炭素原子数６〜３０のアリールチオ基としては、上記炭素原子数６〜３０のアリールオキシ基の酸素原子を硫黄原子に置換した基等が奉げられ、
炭素原子数８〜３０のアリールアルケニル基としては、上記炭素原子数６〜３０のアリールオキシ基の酸素原子をビニル、アリル、１−プロペニル、イソプロペニル、２−ブテニル、１，３−ブタジエニル、２−ペンテニル、２−オクテニル等のアルケニル基で置換した基等が挙げられ、
炭素原子数２〜３０の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオフラン等の基及びこれらの基がハロゲン原子で置換された基等が挙げられる。
【００４０】
上記一般式（２）におけるＸ2で表される三価の炭素原子数１〜３５の脂肪族炭化水素基としては、上記一般式（１）におけるＸ1の説明で例示した脂肪族炭化水素基が、Ｚ1、Ｚ2及びＺ3で置換された三価の基が挙げられ、これらの基は、−Ｏ−、−Ｓ−、−ＣＯ−、−ＣＯ−Ｏ−、−Ｏ−ＣＯ−、−ＳＯ2−、−ＮＨ−又はこれらを組み合わせた基で中断されていてもよく、
三価の炭素原子数３〜３５の脂環式炭化水素基としては、上記一般式（１）におけるＸ1の説明で例示した脂環式炭化水素基が、Ｚ1、Ｚ2及びＺ3で置換された三価の基が挙げられ、
三価の炭素原子数６〜３５の芳香環含有炭化水素基としては、上記一般式（１）におけるＸ1の説明で例示した芳香環含有炭化水素基が、Ｚ1、Ｚ2及びＺ3で置換された三価の基が挙げられ、
三価の炭素原子数２〜３５の複素環含有基としては、上記一般式（１）におけるＸ1の説明で例示した複素環含有基が、Ｚ1、Ｚ2及びＺ3で置換された三価の基が挙げられる。
Ｒ25で表される炭素原子数１〜８のアルキル基、炭素原子数６〜３０のアリール基、炭素原子数７〜３０のアリールアルキル基又は炭素原子数８〜３０のアリールアルケニル基としては、上記一般式（Ｉ）の説明で例示したアルキル基、アリール基、炭素原子数７〜３０のアリールアルキル基又は炭素原子数８〜３０のアリールアルケニル基のうち、所定の炭素原子数を満たすものが挙げられる。
【００４１】
上記一般式（３）におけるＸ3で表される四価の炭素原子数１〜３５の脂肪族炭化水素基としては、上記一般式（１）におけるＸ1の説明で例示した脂肪族炭化水素基が、Ｚ1、Ｚ2、Ｚ3及びＺ4で置換された四価の基が挙げられ、−Ｏ−、−Ｓ−、−ＣＯ−、−ＣＯＯ−、−ＯＣＯ−、−ＮＨ−又はこれらを組み合わせた基で中断されていてもよく、
四価の炭素原子数３〜３５の脂環式炭化水素基としては、上記一般式（１）におけるＸ1の説明で例示した脂環式炭化水素基が、Ｚ1、Ｚ2、Ｚ3及びＺ4で置換された四価の基が挙げられ、
四価の炭素原子数６〜３５の芳香環含有炭化水素基としては、上記一般式（１）におけるＸ1の説明で例示した芳香環含有炭化水素基が、Ｚ1、Ｚ2、Ｚ3及びＺ4で置換された四価の基が挙げられ、
四価の炭素原子数２〜３５の複素環含有基としては、上記一般式（１）におけるＸ1の説明で例示した複素環含有基が、Ｚ1、Ｚ2、Ｚ3及びＺ4で置換された四価の基が挙げられる。
【００４２】
上記一般式（４）におけるＸ4で表される五価の炭素原子数２〜３５の脂肪族炭化水素基としては、上記一般式（１）におけるＸ1の説明で例示した脂肪族炭化水素基が、Ｚ1、Ｚ2、Ｚ3、Ｚ4及びＺ5で置換された五価の基が挙げられ、−Ｏ−、−Ｓ−、−ＣＯ−、−ＣＯ−Ｏ−、−Ｏ−ＣＯ−、−ＳＯ2−、−ＮＨ−又はこれらを組み合わせた基で中断されていてもよく、
五価の炭素原子数３〜３５の脂環式炭化水素基としては、上記一般式（１）におけるＸ1の説明で例示した脂環式炭化水素基が、Ｚ1、Ｚ2、Ｚ3、Ｚ4及びＺ5で置換された五価の基が挙げられ、
五価の炭素原子数６〜３５の芳香環含有炭化水素基としては、上記一般式（３）におけるＸ1の説明で例示した芳香環含有炭化水素基が、Ｚ1、Ｚ2、Ｚ3、Ｚ4及びＺ5で置換された五価の基が挙げられ、
五価の炭素原子数２〜３５の複素環含有基としては、上記一般式（１）におけるＸ1の説明で例示した複素環含有基が、Ｚ1、Ｚ2、Ｚ3、Ｚ4及びＺ5で置換された五価の基が挙げられる。
【００４３】
上記一般式（５）におけるＸ5で表される六価の炭素原子数２〜３５の脂肪族炭化水素基としては、上記一般式（１）におけるＸ1の説明で例示した脂肪族炭化水素基が、Ｚ1、Ｚ2、Ｚ3、Ｚ4、Ｚ5及びＺ6で置換された六価の基が挙げられ、−Ｏ−、−Ｓ−、−ＣＯ−、−ＣＯＯ−、−ＯＣＯ−、−ＳＯ2−、−ＮＨ−又はこれらを組み合わせた基で中断されていてもよく、
六価の炭素原子数３〜３５の脂環式炭化水素基としては、上記一般式（１）におけるＸ1の説明で例示した脂環式炭化水素基が、Ｚ1、Ｚ2、Ｚ3、Ｚ4、Ｚ5及びＺ6で置換された六価の基が挙げられ、
六価の炭素原子数６〜３５の芳香環含有炭化水素基としては、上記一般式（１）におけるＸ1の説明で例示した芳香環含有炭化水素基が、Ｚ1、Ｚ2、Ｚ3、Ｚ4、Ｚ5及びＺ6で置換された六価の基が挙げられ、
六価の炭素原子数２〜３５の複素環含有基としては、上記一般式（１）におけるＸ1の説明で例示した複素環含有基が、Ｚ1、Ｚ2、Ｚ3、Ｚ4、Ｚ5及びＺ6で置換された六価の基が挙げられる。
【００４４】
上記一般式（Ｉ）で表される化合物の中でも、Ｒ8とＲ9が形成する環が下記群２から選ばれるもの：ｍが２のとき、Ｘ1が下記群３から選ばれる基であるもの；ｍが３のとき、Ｘ2が下記群４から選ばれる基であるもの；ｍが４のとき、Ｘ3が群５から選ばれる基であるもの；ｍが５のとき、Ｘ4が下記群６から選ばれる基であるもの；ｍが６のとき、Ｘ5が下記群７から選ばれる基であるものは、原料の入手や製造が容易であり、耐熱性が高いため好ましい。
【００４５】
【化１１Ｂ】
2016158639.tif 000014
（式中、Ｒ125は、水素原子、炭素原子数１〜２０のアルキル基、炭素原子数６〜３０のアリール基、炭素原子数７〜３０のアリールアルキル基、又は炭素原子数８〜３０のアリールアルケニル基、炭素原子数２〜３０の複素環含有基又はメタロセニル基を表し、
Ｒ125で表されるアルキル基、アリール基、アリールアルキル基又はアリールアルケニル基は、ハロゲン原子、水酸基、カルボキシル基、スルホン酸基又はニトロ基で置換されている場合もあり、該カルボキシル基及びスルホン酸基は塩を形成している場合もあり、
Ｒ125で表されるアルキル基、アリールアルキル基及びアリールアルケニル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−で置き換わっている場合もあり、
Ｒ126は、水素原子、水酸基、ニトロ基、シアノ基、ハロゲン原子、カルボキシル基、スルホン酸基、炭素原子数１〜２０のアルキル基、炭素原子数６〜３０のアリール基、炭素原子数７〜３０のアリールアルキル基、又は炭素原子数８〜３０のアリールアルケニル基、炭素原子数２〜３０の複素環基又はメタロセニル基を表し、
Ｒ126で表されるアルキル基、アリール基、アリールアルキル基及びアリールアルケニル基は、ハロゲン原子、水酸基、カルボキシル基、スルホン酸基又はニトロ基で置換されている場合もあり、該カルボキシル基及びスルホン酸基は塩を形成している場合もあり、
Ｒ126で表されるアルキル基及びアリールアルキル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−により、酸素原子が隣り合わない条件で置き換わった基で置き換わっている場合もあり、＊は、＊部分で、隣接する基と結合することを意味する。）
【００４６】
上記の群２において、Ｒ125又はＲ126で表される炭素原子数１〜２０のアルキル基、炭素原子数６〜３０のアリール基、炭素原子数７〜３０のアリールアルキル基、炭素原子数８〜３０のアリールアルケニル基、炭素原子数２〜３０の複素環基又はメタロセニル基としては、上記一般式（Ｉ）の説明で例示したアルキル基、アリール基、アリールアルキル基、アリールアルケニル基、複素環基又はメタロセニル基が挙げられる。
【００４７】
【化１２】
2016158639.tif 000015
（式中、Ｒ27は、水素原子、炭素原子数１〜１０のアルキル基、炭素原子数６〜３０のアリール基、炭素原子数７〜３０のアリールアルキル基又は炭素原子数８〜３０のアリールアルケニル基を表し、
Ｒ27で表されるアルキル基、アリール基、アリールアルキル基及びアリールアルケニル基は、ハロゲン原子、水酸基又はニトロ基で置換されている場合もあり、
Ｒ27で表されるアルキル基、アリールアルキル基及びアリールアルケニル基中のメチレン基は、−ＣＯＯ−、−Ｏ−、−ＯＣＯ−、−ＮＨＣＯ−、−ＮＨ−又は−ＣＯＮＨ−により、酸素原子が隣り合わない条件で置き換わっている場合もあり、
ｐは１〜３の整数を表し、ｑは０〜３の整数を表し、ｒは１〜１９の整数を表し、＊は、＊部分で、隣接する基と結合することを意味する。）
【００４８】
上記の群３において、Ｒ27で表される炭素原子数１〜１０のアルキル基、炭素原子数６〜３０のアリール基、炭素原子数７〜３０のアリールアルキル基及び炭素原子数８〜３０のアリールアルケニル基としては、上記一般式（Ｉ）の説明で例示したアルキル基、アリール基、アリールアルキル基又はアリールアルケニル基のうち、所定の炭素原子数を満たすものが挙げられる。
【００４９】
【化１３】
2016158639.tif 000016
【００５０】
【化１４】
2016158639.tif 000017
【００５１】
【化１５】
2016158639.tif 000018
【００５２】
【化１６】
2016158639.tif 000019
【００５３】
本発明の上記一般式（Ｉ）で表されるメロシアニン化合物の具体例としては、下記化合物Ｎｏ．１〜Ｎｏ．１０７が挙げられる。
【００５４】
【化１７】
2016158639.tif 000020
【００５５】
【化１８】
2016158639.tif 000021
【００５６】
【化１９】
2016158639.tif 000022
【００５７】
【化２０】
2016158639.tif 000023
【００５８】
【化２１】
2016158639.tif 000024
【００５９】
【化２２】
2016158639.tif 000025
【００６０】
【化２３】
2016158639.tif 000026
【００６１】
【化２４】
2016158639.tif 000027
【００６２】
【化２５】
2016158639.tif 000028
【００６３】
【化２６】
2016158639.tif 000029
【００６４】
【化２７】
2016158639.tif 000030
【００６５】
【化２８】
2016158639.tif 000031
【００６６】
【化２９】
2016158639.tif 000032
【００６７】
【化２９Ａ−１】
2016158639.tif 000033
【００６８】
【化２９Ａ−２】
2016158639.tif 000034
【００６９】
【化２９Ａ−３】
2016158639.tif 000035
【００７０】
本発明のメロシアニン化合物の中では、下記一般式（ＩＩ）で表される化合物が好ましい。
【化２９Ａ】
2016158639.tif 000036
（式中、環Ｄは、五員環又は六員環を表す。環Ｄで表される五員環又は六員環は、他の環と縮合されている場合があり、置換されている場合もあり、Ｒ1、Ｒ2、Ｒ3、Ｒ4、Ｒ5、Ｒ6、Ｒ7、Ｘ、Ｇ、Ａ及びｍは、上記一般式（Ｉ）と同じであり、ｍ≧２のとき、複数あるＲ1、Ｒ2、Ｒ3、Ｒ4、Ｒ5、Ｒ6、Ｒ7、Ｘ、Ｄ及びＧは、同一であっても異なっていてもよい。）
【００７１】
上記一般式（ＩＩ）において、環Ｄで表される五員環としては、ピラゾロン、ロダニン、チオオキサゾリドン、チオヒンダントイン等が挙げられ、環Ｄで表される六員環としては、バルビツール酸、チオバルビツール酸、３−シアノ−１−アルキル−６−ヒドロキシ−４−メチル−２−ピリドン等が挙げられる。環Ｄは、上記一般式（Ｉ）におけるＲ1、Ｒ2、Ｒ3、Ｒ4、Ｒ5、Ｒ6、Ｒ7、Ｒ8、Ｒ9、Ｒ10及びＲ11で表される炭素原子数１〜２０のアルキル基等と同様の置換基を有する場合がある。
尚、上記一般式（ＩＩ）におけるＡは、上記一般式（Ｉ）と同じであり、ｍ＝１のとき、Ａは結合手ではない。つまり、ｍ＝１のとき、上記一般式（ＩＩ）は、下記一般式（ＩＩ−１）で表される。
【化２９Ｂ】
2016158639.tif 000037
（式中、Ｒ1、Ｒ2、Ｒ3、Ｒ4、Ｒ5、Ｒ6、Ｒ7及びＧは、上記一般式（Ｉ）と同じであり、環Ｄは上記一般式（ＩＩ）と同じである。）
【００７２】
上記一般式（ＩＩ）で表される化合物の中でも、特に、下記一般式（ＩＩＩ）又は（ＩＶ）で表されるものが、合成が容易で耐熱性が高いので好ましい。
【００７３】
【化３０】
2016158639.tif 000038
（式中、Ｘ11、Ｘ12及びＸ13は、それぞれ独立に、−Ｏ−、−Ｓ−、−Ｃ（＝Ｏ）−、−Ｃ（＝Ｓ）−、−Ｎ（Ｒ31）−、−Ｎ＝又は−Ｃ（Ｒ32）＝を表し、
Ｘ11とＸ12又はＸ12とＸ13の間の結合は、単結合、二重結合又は共役二重結合であり、
Ｒ31は、水素原子、炭素原子数１〜２０のアルキル基、炭素原子数６〜３０のアリール基、炭素原子数７〜３０のアリールアルキル基、炭素原子数８〜３０のアリールアルケニル基又は炭素原子数２〜３０の複素環含有基を表し、
Ｒ31で表されるアルキル基、アリール基、アリールアルキル基又はアリールアルケニル基は、ハロゲン原子、水酸基、カルボキシル基、スルホン酸基又はニトロ基で置換されている場合もあり、該カルボキシル基及びスルホン酸基は塩を形成している場合もあり、
Ｒ31で表されるアルキル基、アリールアルキル基又はアリールアルケニル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−により、酸素原子が隣り合わない条件で置き換わっている場合もあり、
Ｒ32は、炭素原子数１〜２０のアルキル基、炭素原子数６〜３０のアリール基、炭素原子数７〜３０のアリールアルキル基又は炭素原子数８〜３０のアリールアルケニル基を表し、
Ｒ1、Ｒ2、Ｒ3、Ｒ4、Ｒ5、Ｒ6、Ｒ7、Ｘ、Ａ及びｍは、上記一般式（Ｉ）と同じであり、ｍ≧２のとき、複数あるＲ1、Ｒ2、Ｒ3、Ｒ4、Ｒ5、Ｒ6、Ｒ7、Ｘ11、Ｘ12及びＸ13は、同一であっても異なっていてもよい。）
【００７４】
【化３１】
2016158639.tif 000039
（式中、Ｘ14、Ｘ15、Ｘ16及びＸ17は、それぞれ独立に、−Ｏ−、−Ｓ−、−Ｃ（＝Ｏ）−、−Ｃ（＝Ｓ）−、−Ｎ（Ｒ35）−、―Ｃ（Ｒ36）（Ｒ37）−、−Ｎ＝又は−Ｃ（Ｒ38）＝を表し、
Ｘ14とＸ15、Ｘ15とＸ16又はＸ16とＸ17の間の結合は、単結合、二重結合又は共役二重結合であり、
Ｒ35は、それぞれ独立に、水素原子、炭素原子数１〜２０のアルキル基、炭素原子数６〜３０のアリール基、炭素原子数７〜３０のアリールアルキル基、炭素原子数８〜３０のアリールアルケニル基又は炭素原子数２〜３０の複素環含有基を表し、
Ｒ35で表されるアルキル基、アリール基、アリールアルキル基又はアリールアルケニル基は、ハロゲン原子、水酸基、カルボキシル基、スルホン酸基又はニトロ基で置換されている場合もあり、該カルボキシル基及びスルホン酸基は塩を形成している場合もあり、
Ｒ35で表されるアルキル基、アリールアルキル基又はアリールアルケニル基中のメチレン基は、−ＣＯＯ−、−Ｏ−、−ＯＣＯ−、−ＮＨＣＯ−、−ＮＨ−、−ＣＯＮＨ−、−ＳＯ2−ＮＨ−又はーＮＨ−ＳＯ2−により、酸素原子が隣り合わない条件で置き換わっている場合もあり、
Ｒ36、Ｒ37及びＲ38は、それぞれ独立に、水素原子、炭素原子数１〜２０のアルキル基、炭素原子数６〜３０のアリール基、炭素原子数７〜３０のアリールアルキル基又は炭素原子数８〜３０のアリールアルケニル基を表し、
Ｒ1、Ｒ2、Ｒ3、Ｒ4、Ｒ5、Ｒ6、Ｒ7、Ｘ、Ａ及びｍは、上記一般式（Ｉ）と同じである。）
【００７５】
上記一般式（ＩＩＩ）において、Ｒ31で表される炭素原子数１〜２０のアルキル基、炭素原子数６〜３０のアリール基、炭素原子数７〜３０のアリールアルキル基、アリールアルケニル基及び炭素原子数２〜３０の複素環含有基並びにＲ32で表される炭素原子数１〜２０のアルキル基、炭素原子数６〜３０のアリール基、炭素原子数７〜３０のアリールアルキル基、炭素原子数８〜３０のアリールアルケニル基としては、上記一般式（Ｉ）の説明において例示したアルキル基、アリール基、アリールアルキル基、アリールアルケニル基、複素環含有基等が挙げられる。
尚、上記一般式（ＩＩＩ）におけるＡは、上記一般式（Ｉ）と同じであり、ｍ＝１のとき、Ａは結合手ではない。つまり、ｍ＝１のとき、上記一般式（ＩＩＩ）は、下記一般式（ＩＩＩ−１）で表される。
【化３１Ａ】
2016158639.tif 000040
（式中、Ｒ1、Ｒ2、Ｒ3、Ｒ4、Ｒ5、Ｒ6、Ｒ7及びＸは、上記一般式（Ｉ）と同じであり、Ｘ11、Ｘ12及びＸ13は上記一般式（ＩＩＩ）と同じである。）
【００７６】
上記一般式（ＩＩＩ−１）で表されるメロシアニン化合物は、下記一般式に示されるような構造を取りうるが、どちらの構造式であってもよく、また、どちらの構造式で表される構造異性体を単離して用いても、或いはそれらの混合物として用いてもよい。
さらに下記一般式は、ＮＲ5基とＲ6基とが二重結合に対してシス配置（Ｚ配置）になっているが、これらがトランス配置（Ｅ配置）になるものも含まれる。式（ＩＩＩ−１）はこれら炭素炭素二重結合に起因する全ての幾何異性体を含む意味として定義される。
【００７７】
【化３１Ａ−１】
2016158639.tif 000041
（式中、Ｒ1、Ｒ2、Ｒ3、Ｒ4、Ｒ5、Ｒ6、Ｒ7、Ｘ、Ｘ11、Ｘ12及びＸ13は上記一般式（ＩＩＩ−１）と同じである。）
【００７８】
また上記一般式（ＩＶ）において、Ｒ35で表される炭素原子数１〜２０のアルキル基、炭素原子数６〜３０のアリール基、炭素原子数７〜３０のアリールアルキル基、炭素原子数８〜３０のアリールアルケニル基及び炭素原子数２〜３０の複素環含有基並びにＲ36、Ｒ37及びＲ38で表される炭素原子数１〜２０のアルキル基、炭素原子数６〜３０のアリール基、炭素原子数７〜３０のアリールアルキル基又は炭素原子数８〜３０のアリールアルケニル基としては、上記一般式（Ｉ）の説明において例示したアルキル基、アリール基、アリールアルキル基、アリールアルケニル基、複素環含有基等が挙げられる。
尚、上記一般式（ＩＶ）におけるＡは、上記一般式（Ｉ）と同じであり、ｍ＝１のとき、Ａは結合手ではない。つまり、ｍ＝１のとき、上記一般式（ＩＶ）は、下記一般式（ＩＶ−１）で表される。
【化３１Ｂ】
2016158639.tif 000042
（式中、Ｒ1、Ｒ2、Ｒ3、Ｒ4、Ｒ5、Ｒ6、Ｒ7及びＸは、上記一般式（Ｉ）と同じであり、Ｘ14、Ｘ15、Ｘ16及びＸ17は上記一般式（ＩＶ）と同じである。）
【００７９】
上記一般式（ＩＶ−１）で表されるメロシアニン化合物は、下記一般式に示されるような構造を取りうるが、どちらの構造式であってもよく、また、どちらの構造式で表される構造異性体を単離して用いても、或いはそれらの混合物として用いてもよい。
さらに下記一般式は、ＮＲ5基とＲ6基とが二重結合に対してシス配置（Ｚ配置）になっているが、これらがトランス配置（Ｅ配置）になるものも含まれる。式（ＩＶ−１）はこれら炭素炭素二重結合に起因する全ての幾何異性体を含む意味として定義される。
【００８０】
【化３１Ｂ−１】
2016158639.tif 000043
（式中、Ｒ1、Ｒ2、Ｒ3、Ｒ4、Ｒ5、Ｒ6、Ｒ7、Ｘ、Ｘ14、Ｘ15、Ｘ16及びＸ17は上記一般式（ＩＶ−１）と同じである。）
【００８１】
上記一般式（ＩＩＩ）で表される化合物のうち、ｍ≧２である化合物としては、耐光性の点から、下記一般式（Ｖ）で表される化合物が好ましい。
【化３１Ｃ】
2016158639.tif 000044
（式中、Ｒ1、Ｒ2、Ｒ3、Ｒ4、Ｒ6、Ｒ7及びＸは、上記一般式（Ｉ）と同じであり、Ｘ11、Ｘ12及びＸ13は、上記一般式（ＩＩＩ）と同じであり、Ｘ1、Ｚ1及びＺ2は、上記一般式（１）と同じである。）
【００８２】
上記一般式（Ｖ）で表されるメロシアニン化合物は、下記一般式に示されるような構造を取りうるが、いずれの構造式であってもよく、また、いずれの構造式で表される構造異性体を単離して用いても、或いはそれらの混合物として用いてもよい。
さらには下記図（下記式）は、ＮＲ5基とＲ6基とが二重結合に対してシス配置（Ｚ配置）になっているが、これらがトランス配置（Ｅ配置）になるものも含まれる。式（ＩＩＩ）はこれら炭素炭素二重結合に起因する全ての幾何異性体を含む意味として定義される。
【００８３】
【化３１Ｃ−１】
2016158639.tif 000045
（式中、Ｒ1、Ｒ2、Ｒ3、Ｒ4、Ｒ6、Ｒ7、Ｘ、Ｘ11、Ｘ12、Ｘ13、Ｘ1、Ｚ1及びＺ2は、上記一般式（Ｖ）と同じである。）
【００８４】
また、上記一般式（ＩＩＩ）で表される化合物のうち、ｍ＝１である化合物としては、溶解性の点から、下記一般式（ＶＩＩ）で表される化合物が好ましい。
【化３１Ｄ】
2016158639.tif 000046
（式中、Ｒ1、Ｒ2、Ｒ3、Ｒ4、Ｒ5、Ｒ6、Ｒ7及びＸは、上記一般式（Ｉ）と同じであり、
Ｘ11は、上記一般式（ＩＩＩ）と同じであり、
Ｒ31は、上記一般式（ＩＩＩ）中のＸ13が−Ｎ（Ｒ31）−で表される場合のＲ31と同じであり、
Ｒ1、Ｒ2、Ｒ3、Ｒ4、Ｒ5及びＲ31の何れか一つ以上は、ニトロ基；水酸基、カルボキシル基、スルホン酸基若しくはハロゲン原子で置換された又は無置換の炭素原子数１〜２０のアルキル基；炭素原子数１〜２０のアルキル基中のメチレン基が−ＳＯ2−ＮＨ−又はーＮＨ−ＳＯ2−で置き換わった基；水酸基、カルボキシル基又はスルホン酸基で置換された炭素原子数６〜３０のアリール基；水酸基、カルボキシル基又はスルホン酸基で置換された炭素原子数７〜３０のアリールアルキル基；水酸基、カルボキシル基又はスルホン酸基で置換された炭素原子数８〜３０のアリールアルケニル基；炭素原子数１〜２０のアルキル基、炭素原子数６〜３０のアリール基、炭素原子数８〜３０のアリールアルケニル基又は炭素原子数７〜３０のアリールアルキル基が塩を形成した置換基を有するものから選択される。）
【００８５】
上記一般式（ＶＩＩ）で表されるメロシアニン化合物は、下記一般式に示されるような構造を取りうるが、どちらの構造式であってもよく、また、どちらの構造式で表される構造異性体を単離して用いても、或いはそれらの混合物として用いてもよい。
なお、下記式以外の幾何異性体であってもよく、式（ＶＩＩ）は炭素炭素二重結合に起因する全ての幾何異性体を含むものとして定義される。
【００８６】
【化３１Ｄ−１】
2016158639.tif 000047
（式中、Ｒ1、Ｒ2、Ｒ3、Ｒ4、Ｒ5、Ｒ6、Ｒ7、Ｘ、Ｘ11及びＲ31は、上記一般式（ＶＩＩ）と同じである。
【００８７】
上記一般式（ＩＶ）で表される化合物のうち、ｍ≧２である化合物としては、耐光性の点から、下記一般式（ＶＩ）で表される化合物が好ましい。
【化３１Ｅ】
2016158639.tif 000048
（式中、Ｒ1、Ｒ2、Ｒ3、Ｒ4、Ｒ6、Ｒ7及びＸは、上記一般式（Ｉ）と同じであり、Ｘ14、Ｘ15、Ｘ16及びＸ17は、上記一般式（ＩＶ）と同じであり、Ｘ1、Ｚ1及びＺ2は、上記一般式（１）と同じである。）
【００８８】
上記一般式（ＶＩ）で表されるメロシアニン化合物は、下記一般式に示されるような構造を取りうるが、いずれの構造式であってもよく、また、いずれの構造式で表される構造異性体を単離して用いても、或いはそれらの混合物として用いてもよい。
なお、下記図（下記式）以外の幾何異性体であってもよく、式（ＶＩ）は炭素二重結合に起因する全ての幾何異性体を含むものとして定義される。
【００８９】
【化３１Ｅ−１】
2016158639.tif 000049
（式中、Ｒ1、Ｒ2、Ｒ3、Ｒ4、Ｒ6、Ｒ7、Ｘ、Ｘ14、Ｘ15、Ｘ16、Ｘ17、Ｘ1、Ｚ1及びＺ2は、上記一般式（ＶＩ）と同じである。）
【００９０】
また、上記一般式（ＩＶ）で表される化合物のうち、ｍ＝１である化合物としては、溶解性の点から、下記一般式（ＶＩＩＩ）で表される化合物が好ましい。
【化３１Ｆ】
2016158639.tif 000050
（式中、Ｒ1、Ｒ2、Ｒ3、Ｒ4、Ｒ5、Ｒ6、Ｒ7及びＸは、上記一般式（Ｉ）と同じであり、
Ｒ35は、上記一般式（ＩＶ）中のＸ15及びＸ17が−Ｎ（Ｒ35）−で表される場合のＲ35と同じであり、複数あるＲ35は、同じか又は異なり、Ｒ1、Ｒ2、Ｒ3、Ｒ4、Ｒ5及びＲ35の何れか一つ以上は、ニトロ基；水酸基、カルボキシル基、スルホン酸基若しくはハロゲン原子で置換された又は無置換の炭素原子数１〜２０のアルキル基；炭素原子数１〜２０のアルキル基中のメチレン基が−ＳＯ2−ＮＨ−又はーＮＨ−ＳＯ2−で置き換わった基；水酸基、カルボキシル基又はスルホン酸基で置換された炭素原子数６〜３０のアリール基；水酸基、カルボキシル基又はスルホン酸基で置換された炭素原子数７〜３０のアリールアルキル基；水酸基、カルボキシル基又はスルホン酸基で置換された炭素原子数８〜３０のアリールアルケニル基；炭素原子数１〜２０のアルキル基、炭素原子数６〜３０のアリール基、炭素原子数８〜３０のアリールアルケニル基又は炭素原子数７〜３０のアリールアルキル基が塩を形成した置換基を有するものから選択される。）
【００９１】
上記一般式（ＶＩＩ）又は（ＶＩＩＩ）において、炭素原子数１〜２０のアルキル基、炭素原子数６〜３０のアリール基、炭素原子数７〜３０のアリールアルキル基又は炭素原子数８〜３０のアリールアルケニル基が塩を形成した置換基とは、上述したように、アルキル基、アリール基、アリールアルキル基又はアリールアルケニル基中の末端のアルキル基が、カルボキシル基、スルホ基及びリン酸基等の酸性基が種々の陽イオンと塩を形成した置換基を有しているか、或いは置換アミノ基を四級化した後種々の陰イオンと塩を形成した置換基を有しているものをいう。
上述の塩を形成した置換基のうち、アルキル基、アリール基、アリールアルキル基又はアリールアルケニル基を除く部分の好ましいものとしては、カルボキシル基又はスルホ基が、それぞれ、亜鉛、銅、ニッケル等の遷移金属カチオン；バリウム等のアルカリ土類金属等の陽イオンと塩を形成したもの、及び炭素原子数１〜２０のジアルキルアミノ基等の置換アミノ基の四級化したものが、リンモリブデン酸イオン、リンタングステン酸イオン、リンタングストモリブデン酸イオン、バナジン酸イオン等の陰イオンと塩を形成したものが挙げられる。
【００９２】
上記一般式（Ｉ）で表される化合物は、その製造方法によって特に限定されず、周知一般の反応を利用した方法で得ることができる。該化合物は、例えば、Ｇが酸素原子、ｎ＝１、且つｍ＝１であるとき、下記反応式１の如く、インドレニン四級塩とアミジン化合物との反応生成物に、活性メチレンを有する化合物を反応させる方法により合成することができる。
【００９３】
【化３２】
2016158639.tif 000051
（式中、Ｒ41、Ｒ42及びＲ43は、炭素原子数１〜１０のアルキル基、炭素原子数６〜３０のアリール基、炭素原子数７〜３０のアリールアルキル基又は炭素原子数８〜３０のアリールアルケニル基を表し、Ａｎq-はｑ価のアニオンを表し、ｑは１又は２であり、ｐは電荷を中性に保つ係数を表し、
Ｒ1、Ｒ2、Ｒ3、Ｒ4、Ｒ5、Ｒ6、Ｒ7、Ｒ8、Ｒ9及びＸは、上記一般式（Ｉ）と同じである。）
【００９４】
また、上記一般式（Ｉ）において、Ｇが酸素原子、ｍ＝１、ｎ＝１であって、Ｒ8とＲ9が連結して環Ｄを形成している場合、下記反応式２の如く、インドレニン四級塩とアミジン化合物との反応生成物に、活性メチレンを有する化合物を反応させる方法により合成することができる。
【００９５】
【化３３】
2016158639.tif 000052
（式中、Ｒ1、Ｒ2、Ｒ3、Ｒ4、Ｒ5、Ｒ6、Ｒ7、Ｒ8、Ｒ9及びＸは、上記一般式（Ｉ）と同じであり、Ｒ41、Ｒ42、Ｒ43、Ａｎq-、ｑ及びｐは、上記反応式１と同じであり、環Ｄは、上記一般式（ＩＩ）と同じである。）
【００９６】
また、Ｇが酸素原子、ｍ＝２、ｎ＝１、Ａが上記一般式（１）で表される連結基であるとき、下記反応式３の如く、アルキルジハライドと２等量のインドレニン化合物を反応させ、続いて上記反応式１と同様にして合成することができる。ｎ＝３以上で表されるメロシアニン化合物も、下記反応式３に示されるルートに準じて合成することができる。
【００９７】
【化３４】
2016158639.tif 000053
（式中、Ｒ1、Ｒ2、Ｒ3、Ｒ4、Ｒ5、Ｒ6、Ｒ7、Ｒ8、Ｒ9及びＸは、上記一般式（Ｉ）と同じであり、Ｒ41、Ｒ42、Ｒ43、Ａｎq-、ｑ及びｐは、上記反応式１と同じであり、Ｘ*は、ハロゲン原子である。）
【００９８】
本発明のメロシアニン化合物は、光吸収剤、増感剤、染料等として、これに用途に応じた樹脂を配合して（フィルム形成用）組成物とし、該組成物を用いて光学フィルム、光学フィルタを作製することで好適に用いられる。
具体的には、反射防止フィルム、位相差フィルム、偏光フィルム、配向フィルム、保護フィルム、視野角向上フィルム、輝度向上フィルム、遮光フィルム、電磁波シールドフィルム等の光学フィルム、ローパスフィルタやカラーフィルタ等の光学素子としてディスプレイや光学レンズに用いられる光学フィルタ等に用いることができる。
また本発明のメロシアニン化合物は、感光写真材料、染物、塗料、インク、電子写真感光体、トナー、感熱記録紙、転写リボン、光学記録色素、太陽電池、光電変換素子、半導体材料、臨床検査試薬、レーザー治療用色素、染色等に用いることもできる。
【００９９】
次に、本発明のメロシアニン化合物の実施形態の一つである光学フィルタについて説明する。
本発明の光学フィルタは、本発明のメロシアニン化合物を含有する本発明の組成物を用いて作製される。本発明の組成物には、通常バインダー樹脂が配合される。該バインダー樹脂としては、例えば、ゼラチン、カゼイン、でんぷん、セルロース誘導体、アルギン酸等の天然高分子材料、或いは、ポリメチルメタクリレート、ポリビニルブチラール、ポリビニルピロリドン、ポリビニルアルコール、ポリ塩化ビニル、スチレン−ブタジエンコポリマー、ポリスチレン、ポリエステル、ポリエーテル、ポリカーボネート、ポリアミド、ポリイミド、ポリウレタン、メラミン樹脂、環状オレフィン樹脂等の合成高分子材料、粘着剤等が挙げられる。
【０１００】
上記粘着剤としては、例えば、シリコン系、ウレタン系、アクリル系等の粘着剤、ポリビニルブチラール系粘着剤、ポリビニルエーテル系粘着剤、エチレン−酢酸ビニル系粘着剤、ポリオレフィン系粘着剤、ＳＢＲ系粘着剤、ゴム系粘着剤等の公知の合わせガラス用透明粘着剤を用いることができ、中でもアクリル系粘着剤、特に酸性アクリル系粘着剤が好ましく用いられる。
【０１０１】
上記アクリル系粘着剤としては特に限定されず、カルボキシル基、水酸基、アミド基、アミノ基、エポキシ基等の反応性官能基及びエチレン性不飽和二重結合を有する単量体の単独重合体或いは複数種を組み合わせた共重合体、又は上記反応性官能基及びエチレン性不飽和二重結合を有する単量体と、（メタ）アクリル系単量体やビニル系単量体のようなエチレン性不飽和二重結合を有する単量体との共重合体を用いることができ、必要に応じて粘着剤の凝集力を向上させるために、硬化剤として、金属キレート系化合物、イソシアネート系化合物、メラミン化合物、エポキシ系化合物、アミン系化合物、アジリジン系化合物、オキサゾリン化合物等の架橋剤を含有するものを用いることができる。
【０１０２】
上記アクリル系粘着剤としては市販のものを用いることができ、例えば、デービーボンド５５４１（ダイアボンド社製）、ＳＫダインＡＳ−１９２５、ＫＰ−２２３０、ＳＫ−１８１１Ｌ（綜研化学社製）、ＤＸ２−ＰＤＰ−１９（日本触媒社製）、ＡＴ−３００１（サイデン化学社製）、オリバインＢＰＳ５８９６（東洋インキ社製）、ＣＳ−９６１１（日東電工社製）等が挙げられる。
【０１０３】
本発明の組成物には、後述する有機溶媒、本発明のメロシアニン化合物以外の光吸収剤、各種安定剤等の任意成分等をさらに必要量含有させることができる。
【０１０４】
光学フィルタの作製において、本発明の組成物を塗布により適用する場合は、本発明の組成物に有機溶媒を含有させて本発明の組成物を塗工液とする。本発明のメロシアニン化合物、有機溶媒及び本発明のメロシアニン化合物以外の光吸収剤、各種安定剤等の任意成分等を含む塗工液の濃度（固形分）は、０．１〜５質量％、特に１〜３質量％であるのが好ましい。
【０１０５】
本発明の組成物において、本発明のメロシアニン化合物及び上記バインダー樹脂等の使用量は制限されないが、通常、次のようにして使用される。例えば、本発明の組成物から構成される粘着剤層を有する本発明の光学フィルタを製造する場合には、上記バインダー樹脂である粘着剤の固形分１００質量部に対し、本発明のメロシアニン化合物が０．０００１〜５０質量部、好ましくは０．００１〜５．０質量部、及びメチルエチルケトン等の溶剤が０．１〜１０００質量部、好ましくは１．０〜５００質量部となるように粘着剤溶液を調製し、この粘着剤溶液を、易密着処理をしたＰＥＴフィルム等の透明支持体に塗布した後、乾燥させ、厚さ２〜４００μｍ、好ましくは５〜４０μｍの粘着剤層を有する本発明の光学フィルタを得る。更に、本発明のメロシアニン化合物以外の他の光吸収剤、各種安定剤等の任意成分等を本発明の組成物に含有させる場合も、各成分の配合割合は、上述の配合割合に順じればよい。
【０１０６】
上記の粘着剤層を有する本発明の光学フィルタの製造において、本発明のメロシアニン化合物及びバインダー樹脂や、本発明のメロシアニン化合物以外の他の光吸収剤、各種安定剤等の任意成分を、透明支持体及び任意の各層から選択される任意の隣り合う二者間の粘着剤層に含有させる方法を採用する場合には、本発明のメロシアニン化合物等を粘着剤に含有させて本発明の組成物とした後、該組成物を粘着剤として用いて、透明支持体及び任意の各層のうちの隣り合う二者を接着すればよい。更に粘着剤層の表面に、易密着したポリエチレンテレフタレートフィルム等の公知のセパレータフィルムを設けることもできる。
【０１０７】
本発明の光学フィルタは、本発明の組成物を用いたものであり、該組成物により構成される層を有する。該組成物により構成される層は、後述する各層の何れの層でもよい。本発明の光学フィルタ、特に画像表示用光学フィルタにおいて、本発明のメロシアニン化合物の使用量は、光学フィルタの単位面積当たり、通常１〜１０００ｍｇ／ｍ2、好ましくは５〜１００ｍｇ／ｍ2の範囲である。１ｍｇ／ｍ2未満の使用量では、光吸収効果を十分に発揮することができず、１０００ｍｇ／ｍ2を超えて使用した場合には、フィルターの色目が強くなりすぎて表示品質等を低下させるおそれがあり、更には、明度が低下するおそれもある。尚、本発明のメロシアニン化合物が複数種の混合物である場合は、本発明のメロシアニン化合物の使用量は、その合計量とする。
【０１０８】
本発明の光学フィルタは、通常、ディスプレイの前面に配置される。例えば、本発明の光学フィルタは、ディスプレイの表面に直接貼り付けてもよく、ディスプレイの前に前面板が設けられている場合は、前面板の表側（外側）又は裏側（ディスプレイ側）に貼り付けてもよい。
【０１０９】
本発明の光学フィルタの代表的な構成としては、透明支持体に、必要に応じて、下塗り層、反射防止層、ハードコート層、潤滑層、粘着剤層等の各層を設けたものが挙げられる。例えば、本発明のメロシアニン化合物を下塗り層、反射防止層、ハードコート層、潤滑層、粘着層等に含有させた構成でもよく、これらの層とは別に本発明の組成物を用いて形成される色補正層を有する構成でもよい。本発明の光学フィルタの構成としては、本発明のメロシアニン化合物を粘着層に含有させたものが製造工程を削減でき、積層された光学フィルタを安価に製造できるので好ましい。
【０１１０】
上記透明支持体の材料としては、例えば、ガラス等の無機材料；ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブ
チレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン、ノルボルネン樹脂等の高分子材料が挙げられる。透明支持体の透過率は８０％以上であることが好ましく、８６％以上であることが更に好ましい。ヘイズは、２％以下であることが好ましく、１％以下であることが更に好ましい。屈折率は、１．４５〜１．７０であることが好ましい。
【０１１１】
上記透明支持体中には、本発明のメロシアニン化合物以外の他の光吸収剤、赤外線吸収剤、紫外線吸収剤、蛍光消光剤、フェノール系、リン系、イオウ系等の酸化防止剤、難燃剤、滑剤、帯電防止剤、無機微粒子、耐光性付与剤、芳香族ニトロソ化合物、アミニウム化合物、イミニウム化合物、遷移金属キレート化合物、粘度鉱物等を添加することができ、また、上記透明支持体には、各種の表面処理を施すこともできる。
【０１１２】
本発明のメロシアニン化合物以外の他の光吸収剤としては、例えば、光学フィルタを画像表示装置用途に用いる場合には、色調調整用の光吸収剤、外光の反射や映り込み防止用の光吸収剤が挙げられ、画像表示装置がプラズマディスプレイの場合には、赤外リモコン誤作動防止用の光吸収剤が挙げられる。
【０１１３】
上記色調調整用の上記光吸収剤としては、波長４５０〜６２０ｎｍのオレンジ光の除去のために用いられるものとして、トリメチンインドリウム化合物、トリメチンベンゾオキサゾリウム化合物、トリメチンベンゾチアゾリウム化合物等のトリメチンシアニン誘導体；ペンタメチンオキサゾリウム化合物、ペンタメチンチアゾリウム化合物等のペンタメチンシアニン誘導体；スクアリリウム色素誘導体；アゾメチン色素誘導体；キサンテン色素誘導体；アゾ色素誘導体；オキソノール色素誘導体；ベンジリデン色素誘導体；ピロメテン色素誘導体；アゾ金属錯体誘導体：ローダミン色素誘導体；フタロシアニン誘導体；ポルフィリン誘導体；ジピロメテン金属キレート化合物等が挙げられる。
【０１１４】
上記の外光の反射や映り込み防止用の光吸収剤（波長４８０〜５００ｎｍ対応）としては、トリメチンインドリウム化合物、トリメチンオキサゾリウム化合物、トリメチンチアゾリウム化合物、インドリデントリメチンチアゾニウム化合物等のトリメチンシアニン誘導体；フタロシアニン誘導体；ナフタロシアニン誘導体；ポルフィリン誘導体；ジピロメテン金属キレート化合物等が挙げられる。
【０１１５】
上記の赤外リモコン誤作動防止用の光吸収剤（波長７５０〜１１００ｎｍ対応）としては、ジイモニウム化合物；ペンタメチンベンゾインドリウム化合物、ペンタメチンベンゾオキサゾリウム化合物、ペンタメチンベンゾチアゾリウム化合物等のペンタメチンシアニン誘導体；ヘプタメチンインドリウム化合物、ヘプタメチンベンゾインドリウム化合物、ヘプタメチンオキサゾリウム化合物、ヘプタメチンベンゾオキサゾリウム化合物、ヘプタメチンチアゾリウム化合物、ヘプタメチンベンゾチアゾリウム化合物等のヘプタメチンシアニン誘導体；スクアリリウム誘導体；ビス（スチルベンジチオラト）化合物、ビス（ベンゼンジチオラト）ニッケル化合物、ビス（カンファージチオラト）ニッケル化合物等のニッケル錯体；スクアリリウム誘導体；アゾ色素誘導体；フタロシアニン誘導体；ポルフィリン誘導体；ジピロメテン金属キレート化合物等が挙げられる。
【０１１６】
また、上記透明支持体に添加することができる上記無機微粒子としては、例えば、二酸化珪素、二酸化チタン、硫酸バリウム、炭酸カルシウム、タルク、カオリン等が挙げられる。
【０１１７】
上記透明支持体に施すことができる上記の各種の表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。
【０１１８】
本発明の光学フィルタに設けることができる上記下塗り層は、任意の各層とは別に光吸収剤を含有するフィルター層を設ける場合に、透明支持体と光フィルター層との間に用いる層である。上記下塗り層は、ガラス転移温度が−６０〜６０℃のポリマーを含む層、フィルター層側の表面が粗面である層、又はフィルター層のポリマーと親和性を有するポリマーを含む層として形成する。また、下塗り層は、フィルター層が設けられていない透明支持体の面に設けて、透明支持体とその上に設けられる層（例えば、反射防止層、ハードコート層）との接着力を改善するために設けてもよく、光学フィルタと画像表示装置とを接着するための接着剤と光学フィルタとの親和性を改善するために設けてもよい。下塗り層の厚みは、２ｎｍ〜２０μｍが好ましく、５ｎｍ〜５μｍがより好ましく、２０ｎｍ〜２μｍが更に好ましく、５０ｎｍ〜１μｍが更にまた好ましく、８０ｎｍ〜３００ｎｍが最も好ましい。ガラス転移温度が−６０〜６０℃のポリマーを含む下塗り層は、ポリマーの粘着性で、透明支持体とフィルター層とを接着する。ガラス転移温度が−６０〜６０℃のポリマーは、例えば、塩化ビニル、塩化ビニリデン、酢酸ビニル、ブタジエン、ネオプレン、スチレン、クロロプレン、アクリル酸エステル、メタクリル酸エステル、アクリロニトリル又はメチルビニルエーテルの重合又はこれらの共重合により得ることができる。ガラス転移温度は、５０℃以下であることが好ましく、４０℃以下であることがより好ましく、３０℃以下であることが更に好ましく、２５℃以下であることが更にまた好ましく、２０℃以下であることが最も好ましい。下塗り層の２５℃における弾性率は、１〜１０００ＭＰａであることが好ましく、５〜８００ＭＰａであることが更に好ましく、１０〜５００ＭＰａであることが最も好ましい。フィルター層の表面が粗面である下塗り層は、粗面の上にフィルター層を形成することで、透明支持体とフィルター層とを接着する。フィルター層の表面が粗面である下塗り層は、ポリマーラテックスの塗布により容易に形成することができる。ラテックスの平均粒径は、０．０２〜３μｍであることが好ましく、０．０５〜１μｍであることが更に好ましい。フィルター層のバインダーポリマーと親和性を有するポリマーとしては、アクリル樹脂、セルロース誘導体、アルギン酸、ゼラチン、カゼイン、でんぷん、ポリビニルアルコール、ポリビニルブチラール、ポリビニルピロリドン、可溶性ナイロン及び高分子ラテックス等が挙げられる。また、本発明の光学フィルタには、二以上の下塗り層を設けてもよい。下塗り層には、透明支持体を膨潤させる溶剤、マット剤、界面活性剤、帯電防止剤、塗布助剤、硬膜剤等を添加してもよい。
【０１１９】
本発明の光学フィルタに設けることができる上記反射防止層においては、低屈折率層が必須である。低屈折率層の屈折率は、上記透明支持体の屈折率よりも低い。低屈折率層の屈折率は、１．２０〜１．５５であることが好ましく、１．３０〜１．５０であることが更に好ましい。低屈折率層の厚さは、５０〜４００ｎｍであることが好ましく、５０〜２００ｎｍであることが更に好ましい。低屈折率層は、屈折率の低い含フッ素ポリマーからなる層（特開昭５７−３４５２６号、特開平３−１３０１０３号、特開平６−１１５０２３号、特開平８−３１３７０２号、特開平７−１６８００４号の各公報記載）、ゾルゲル法により得られる層（特開平５−２０８８１１号、特開平６−２９９０９１号、特開平７−１６８００３号の各公報記載）、或いは微粒子を含む層（特公昭６０−５９２５０号、特開平５−１３０２１号、特開平６−５６４７８号、特開平７−９２３０６号、特開平９−２８８２０１号の各公報に記載）として形成することができる。微粒子を含む層では、微粒子間又は微粒子内のミクロボイドとして、低屈折率層に空隙を形成することができる。微粒子を含む層は、３〜５０体積％の空隙率を有することが好ましく、５〜３５体積％の空隙率を有することが更に好ましい。
【０１２０】
広い波長領域の反射を防止するためには、上記反射防止層において、低屈折率層に加えて、屈折率の高い層（中・高屈折率層）を積層することが好ましい。高屈折率層の屈折率は、１．６５〜２．４０であることが好ましく、１．７０〜２．２０であることが更に好ましい。中屈折率層の屈折率は、低屈折率層の屈折率と高屈折率層の屈折率との中間の値となるように調整する。中屈折率層の屈折率は、１．５０〜１．９０であることが好ましく、１．５５〜１．７０であることが更に好ましい。中・高屈折率層の厚さは、５ｎｍ〜１００μｍであることが好ましく、１０ｎｍ〜１０μｍであることが更に好ましく、３０ｎｍ〜１μｍであることが最も好ましい。中・高屈折率層のヘイズは、５％以下であることが好ましく、３％以下であることが更に好ましく、１％以下であることが最も好ましい。中・高屈折率層は、比較的高い屈折率を有するポリマーバインダーを用いて形成することができる。屈折率が高いポリマーとしては、ポリスチレン、スチレン共重合体、スチレン−ブタジエンコポリマー、ポリ塩化ビニル、ポリカーボネート、ポリアミド、メラミン樹脂、フェノール樹脂、エポキシ樹脂、環状（脂環式又は芳香族）イソシアネートとポリオールとの反応で得られるポリウレタン等が挙げられる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応により形成されたポリマーを用いてもよい。
【０１２１】
更に高い屈折率を得るため、上記ポリマーバインダー中に無機微粒子を分散してもよい。無機微粒子の屈折率は、１．８０〜２．８０であることが好ましい。無機微粒子は、金属の酸化物又は硫化物から形成することが好ましい。金属の酸化物又は硫化物としては、酸化チタン（例えば、ルチル、ルチル／アナターゼの混晶、アナターゼ、アモルファス構造）、酸化錫、酸化インジウム、酸化亜鉛、酸化ジルコニウム、硫化亜鉛等が挙げられる。これらの中でも、酸化チタン、酸化錫及び酸化インジウムが特に好ましい。無機微粒子は、これらの金属の酸化物又は硫化物を主成分とし、更に他の元素を含むことができる。主成分とは、粒子を構成する成分の中で最も含有量（質量％）が多い成分を意味する。他の元素としては、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ等が挙げられる。被膜形成性で溶剤に分散し得るか、それ自身が液状である無機材料、例えば、各種元素のアルコキシド、有機酸の塩、配位性化合物と結合した配位化合物（例えばキレート化合物）、活性無機ポリマーを用いて、中・高屈折率層を形成することもできる。
【０１２２】
上記反射防止層の表面には、アンチグレア機能（入射光を表面で散乱させて、膜周囲の景色が膜表面に移るのを防止する機能）を付与することができる。例えば、透明フィルムの表面に微細な凹凸を形成してその表面に反射防止層を形成するか、或いは、反射防止層を形成後、エンボスロールにより表面に凹凸を形成することにより、アンチグレア機能を有する反射防止層を得ることができる。アンチグレア機能を有する反射防止層は、一般に３〜３０％のヘイズを有する。
【０１２３】
本発明の光学フィルタに設けることができる上記ハードコート層は、上記透明支持体の硬度よりも高い硬度を有する。ハードコート層は、架橋しているポリマーを含むことが好ましい。ハードコート層は、アクリル系、ウレタン系、エポキシ系のポリマー、オリゴマー又はモノマー（例えば紫外線硬化型樹脂）等を用いて形成することができる。シリカ系材料からハードコート層を形成することもできる。
【０１２４】
上記反射防止層（低屈折率層）の表面は、潤滑層を形成してもよい。潤滑層は、低屈折率層表面に滑り性を付与し、耐傷性を改善する機能を有する。潤滑層は、ポリオルガノシロキサン（例えばシリコンオイル）、天然ワックス、石油ワックス、高級脂肪酸金属塩、フッ素系潤滑剤又はその誘導体を用いて形成することができる。潤滑層の厚さは、２〜２０ｎｍであることが好ましい。
【０１２５】
上記ポリマーバインダーを使用する際には、同時に有機溶媒を使用することもでき、該有機溶媒としては、特に限定されることなく公知の種々の溶媒を適宜用いることができ、例えば、イソプロパノール等のアルコール類；メチルセロソルブ、エチルセロソルブ、ブチルセロソルブ、ブチルジグリコール等のエーテルアルコール類；アセトン、メチルエチルケトン、メチルイソブチルケトン、シクロヘキサノン、ジアセトンアルコール等のケトン類、酢酸エチル、酢酸ブチル、酢酸メトキシエチル等のエステル類；アクリル酸エチル、アクリル酸ブチル等のアクリル酸エステル類、２，２，３，３−テトラフルオロプロパノール等のフッ化アルコール類；ヘキサン、ベンゼン、トルエン、キシレン等の炭化水素類；メチレンジクロライド、ジクロロエタン、クロロホルム等の塩素化炭化水素類等が挙げられる。これらの有機溶媒は、単独で又は混合して用いることができる。
が好ましい。
【０１２６】
また、上記の下塗り層、反射防止層、ハードコート層、潤滑層、フィルター層等は、一般的な塗布方法により形成することができる。塗布方法としては、ディップコート法、エアーナイフコート法、カーテンコート法、ローラーコート法、ワイヤーバーコート法、グラビアコート法、ホッパーを使用するエクストルージョンコート法（米国特許第２６８１２９４号明細書記載）等が挙げられる。二以上の層を同時塗布により形成してもよい。同時塗布法については、米国特許第２７６１７９１号、米国特許第２９４１８９８号、米国特許第３５０８９４７号、米国特許第３５２６５２８号の各明細書及び原崎勇次著「コーティング工学」２５３頁（１９７３年朝倉書店発行）に記載がある。
【実施例】
【０１２７】
以下、実施例及び比較例を挙げて本発明をさらに詳細に説明するが、本発明はこれらの実施例等に限定されるものではない。【０１２８】
〔実施例１−１〜１−５４〕化合物Ｎｏ．１〜７、１７〜２１、３０〜３８、４０、４２、４３、４６、４７、５５〜７２及びＮｏ．９６〜１０７の製造
インドレニン中間体０．０１モル及びピリジン又はアセトニトリル１６ｇを混合し、無水酢酸０．０１２モルを滴下して室温〜５０℃で１時間撹拌した。活性メチレン化合物０．０１モル及びトリエチルアミン０．０２モルを加えて室温〜５０℃で１〜３時間撹拌した。得られた固体をメタノールで還流して精製し、固体を１２０℃で乾燥して目的物を得た。
分析結果を〔表１−１〕〜〔表１−３〕、〔表２−１〕〜〔表２−4〕に示す。【０１２９】
【表１−１】
2016158639.tif 000054
【０１３０】
【表１−２】
2016158639.tif 000055
【０１３１】
【表１−３】
2016158639.tif 000056
【０１３２】
【表２−１】
2016158639.tif 000057
【０１３３】
【表２−２】
2016158639.tif 000058
【０１３４】
【表２−３】
2016158639.tif 000059
【０１３５】
【表２−４】
2016158639.tif 000060
【０１３６】
〔実施例１−５５〕化合物Ｎｏ．８４の製造
化合物Ｎｏ．３１の０．２ｇ及びイオン交換水２０ｇを混合し、水酸化ナトリウム水溶液を滴下し溶液を均一化させた。ここに塩化バリウム２水和物０．０６２ｇの水溶液を仕込み、３０分撹拌した。得られた固体を濾過、水洗、乾燥を行い、目的物を０．１９ｇ（収率８２．５％）得た。【０１３７】
〔実施例１−５６〕化合物Ｎｏ．８５の製造
塩化バリウム２水和物に変えて硫酸銅５水和物を用いた他は実施例１−４３と同様にして、目的物を０．０７ｇ（収率３３．３％）で得た。【０１３８】
〔実施例１−５７〕化合物Ｎｏ．８６の製造
化合物３１に変えて化合物３８を用い、塩化バリウム２水和物に変えてリンタングステン酸を用いた他は実施例１−４３と同様にして、目的物を０．１６ｇ（収率６０．０％）で得た。【０１３９】
〔実施例２−１〜２−６及び比較例２−１〕
化合物Ｎｏ．１、Ｎｏ．３０、Ｎｏ．３１、Ｎｏ．３４、Ｎｏ．４０、Ｎｏ．４６及び比較化合物Ｎｏ．１の０．５ｗｔ％アセトン溶液０．４ｇと、ポリメチルメタクリレート（以下、ＰＭＭＡとも呼ぶ）の２５ｗｔ％トルエン溶液３．０ｇを混合させ、１５分間超音波照射を行い、塗工液を調製した。
【化３５】
2016158639.tif 000061
【０１４０】
上記で得られた塗工液を、易密着処理した１８８μｍ厚のポリエチレンテレフタレートフィルムに、該塗工液をバーコーター＃３０により塗布した後、７０℃で１５分間乾燥し、光学フィルタ（膜厚７〜８μｍ）を作製した。【０１４１】
〔評価例２−１〜２−６及び比較評価例２−１〕
実施例２−１〜２−６及び比較例２−１で得られた本発明又は比較例の光学フィルタに、キセノン耐光性試験機（スガ試験機（株）製テーブルサンＴＳ−２）にて光を４８時間照射し、耐光性を評価した。評価においては、光照射前後の各光学フィルタの吸収極大波長における吸光度を測定し、初期値（光照射前）を１００として光照射後の相対値（吸光度保持率）を算出し、耐光性を比較した。結果を［表３］に示す。
【０１４２】
【表３】
2016158639.tif 000062
【０１４３】
［表３］より、比較評価例１−１の光学フィルタは耐光性が悪いのに対し、評価例１−１〜１−６の光学フィルタは耐光性に優れることが明らかである。
【国際調査報告】
2016158639.tif 000080
2016158639.tif 000081
2016158639.tif 000082
2016158639.tif 000083